(57)【要約】      （修正有）【課題】アンライセンスドバンドを使用するＬＴＥシステムにおいて用いられるユーザ端末及び基地局を提供する。【解決手段】ユーザ端末１００は、アンライセンスドバンドにおける測定を指示する測定指示を基地局から受信する受信部と、前記測定指示において測定対象セルのセル識別子が指定されていなくても、前記測定指示の受信に応じて、前記アンライセンスドバンドにおいて前記移動通信システムのセルを検出し、該検知したセルの無線信号の受信電力を測定する制御部と、前記検知したセルのセル識別子及び前記受信電力の測定結果を含む測定報告を、前記基地局に送信する送信部とを備える。【選択図】図４
2018137756.tif 000002
【特許請求の範囲】
【請求項１】
移動通信システムにおいて用いられるユーザ端末であって、
アンライセンスドバンドにおける測定を指示する測定指示を基地局から受信する受信部と、
前記測定指示において測定対象セルのセル識別子が指定されていなくても、前記測定指示の受信に応じて、前記アンライセンスドバンドにおいて前記移動通信システムのセルを検出し、該検知したセルの無線信号の受信電力を測定する制御部と、
前記検知したセルのセル識別子及び前記受信電力の測定結果を含む測定報告を、前記基地局に送信する送信部と、
を備えるユーザ端末。
【請求項２】
前記移動通信システムは、３ＧＰＰ通信システムである、請求項１に記載のユーザ端末。
【請求項３】
前記制御部は、前記検知したセルの参照信号の受信電力を測定する、請求項１又は２に記載のユーザ端末。
【請求項４】
移動通信システムにおいて用いられるユーザ端末における方法であって、
アンライセンスドバンドにおける測定を指示する測定指示を基地局から受信するステップと、
前記測定指示において測定対象セルのセル識別子が指定されていなくても、前記測定指示の受信に応じて、前記アンライセンスドバンドにおいて前記移動通信システムのセルを検出し、該検知したセルの無線信号の受信電力を測定するステップと、
前記検知したセルのセル識別子及び前記受信電力の測定結果を含む測定報告を、前記基地局に送信するステップと、
を備える方法。
【請求項５】
基地局とユーザ端末とを含む移動通信システムであって、
前記ユーザ端末は、
アンライセンスドバンドにおける測定を指示する測定指示を基地局から受信する受信部と、
前記測定指示において測定対象セルのセル識別子が指定されていなくても、前記測定指示の受信に応じて、前記アンライセンスドバンドにおいて前記移動通信システムのセルを検出し、該検知したセルの無線信号の受信電力を測定する制御部と、
前記検知したセルのセル識別子及び前記受信電力の測定結果を含む測定報告を、前記基地局に送信する送信部と、
を備える移動通信システム。
【発明の詳細な説明】
【技術分野】
【０００１】
本発明は、移動体通信システムにおいて用いられるユーザ端末及び基地局に関する。
【背景技術】
【０００２】
移動体通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）においては、急増するトラフィック需要に応えるべく、ＬＴＥ（Ｌｏｎｇ  Ｔｅｒｍ  Ｅｖｏｌｕｔｉｏｎ）を高度化する試みが進められている。
【０００３】
そのような試みの一つとして、オペレータに免許が付与された周波数帯（ライセンスドバンド）だけではなく、免許が不要な周波数帯（アンライセンスドバンド）もＬＴＥ通信に使用することが検討されている（非特許文献１参照）。
【０００４】
アンライセンスドバンドにおいては、ＬＴＥシステムとは異なるシステム（無線ＬＡＮ等）又は他のオペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、基地局が、周波数チャネル（キャリア）が空いているか否かを受信電力に基づいて確認し、空きチャネル（ｃｌｅａｒ  ｃｈａｎｎｅｌ）であることが確認された場合に限り当該周波数チャネルを使用する手順である。
【先行技術文献】
【非特許文献】
【０００５】
【非特許文献１】３ＧＰＰ技術報告書  「ＴＲ３６．８８９  V０．１．１」  ２０１４年１１月
【発明の概要】
【０００６】
第１の特徴に係るユーザ端末は、移動通信システムにおいて用いられる。前記ユーザ端末は、アンライセンスドバンドにおける測定を指示する測定指示を基地局から受信する受信部と、前記測定指示において測定対象セルのセル識別子が指定されていなくても、前記測定指示の受信に応じて、前記アンライセンスドバンドに含まれる周波数チャネルにおいて送信される無線信号を探索し、該探索により検知した無線信号の受信電力を測定する制御部と、前記検知した無線信号の送信元の識別子及び前記受信電力の測定結果を含む測定報告を、前記基地局に送信する送信部と、を備える。
【０００７】
第２の特徴に係る基地局は、移動通信システムにおいて用いられる。前記基地局は、アンライセンスドバンドにおける測定を指示する測定指示をユーザ端末に送信する送信部と、前記ユーザ端末から測定報告を受信する受信部と、前記測定報告に基づいて、前記アンライセンスドバンドに含まれる周波数チャネルを自基地局において使用するか否かを判断する制御部と、を備える。前記測定報告は、前記周波数チャネルにおいて前記ユーザ端末が検知した無線信号の送信元の識別子、及び前記無線信号の受信電力の測定結果を含む。
【０００８】
第３の特徴に係る基地局は、移動通信システムにおいて用いられる。前記基地局は、アンライセンスドバンドに含まれる周波数チャネルにおいて送信される無線信号を探索し、該探索により検知した無線信号の受信電力を測定する制御部と、前記受信電力の測定結果に基づくビーコン信号を無線により送信する送信部と、を備える。前記ビーコン信号は、該ビーコン信号を受信した他の基地局において前記周波数チャネルを使用するか否かを判断する際に参照される。
【０００９】
第４の特徴に係る基地局は、移動通信システムにおいて用いられる。前記基地局は、アンライセンスドバンドに含まれる周波数チャネルにおいて送信される無線信号の受信電力の測定結果に基づくビーコン信号を無線により他の基地局から受信する受信部と、前記ビーコン信号に基づいて、前記周波数チャネルを自基地局において使用するか否かを判断する制御部と、を備える。
【００１０】
第５の特徴に係る通信装置は、アンライセンスドバンドのチャネルにおいて無線信号を送信する前に、所定の時間長を有する観測期間内で前記チャネルの使用状況を観測し、前記チャネルが空きチャネルであるか否かを確認する制御部を備える。前記制御部は、他の通信装置から送信される無線信号に基づいて前記他の通信装置との同期ずれ量を検出し、前記同期ずれ量に応じて前記観測期間の開始タイミングを変更する制御部を備える。
【００１１】
第６の特徴に係る基地局は、ＰＤＳＣＨ（Ｐｈｙｓｉｃａｌ  Ｄｏｗｎｌｉｎｋ  Ｓｈａｒｅｄ  Ｃｈａｎｎｅｌ）で送信データを送信する処理を実行する制御部を備える。前記制御部は、前記送信データを送信する前に、チャネルを予約するための予約信号として所定データを送信する処理を実行する。前記所定データは、前記送信データの少なくとも一部を含む。
【００１２】
第７の特徴に係るユーザ端末は、基地局から、予約信号で運ばれた所定データと、該所定データの後に配された、ＰＤＳＣＨ（Ｐｈｙｓｉｃａｌ  Ｄｏｗｎｌｉｎｋ  Ｓｈａｒｅｄ  Ｃｈａｎｎｅｌ）で運ばれた送信データとを受信する処理と、所定の復号処理と、を実行する制御部を備える。前記所定データは、前記送信データの少なくとも一部を含む。前記所定の復号処理は、前記所定データを前記送信データの冗長データとして合成する処理を含む。
【００１３】
第８の特徴に係るユーザ端末は、ＲＲＭ（Ｒａｄｉｏ  Ｒｅｓｏｕｒｃｅ  Ｍａｎａｇｅｍｅｎｔ）測定処理と、複数セル分の測定結果をオペレータＩＤとともに、基地局に報告する報告処理と、を実行する制御部を備える。前記測定結果は、ＲＳＲＰ（Ｒｅｆｅｒｅｎｃｅ  Ｓｉｇｎａｌ  Ｒｅｃｅｉｖｅｄ  Ｐｏｗｅｒ）及び／又はＲＳＲＱ（Ｒｅｆｅｒｅｎｃｅ  Ｓｉｇｎａｌ  Ｒｅｃｅｉｖｅｄ  Ｑｕａｌｉｔｙ）と、ＲＳＳＩ（Ｒｅｃｅｉｖｅｄ  Ｓｉｇｎａｌ  Ｓｔｒｅｎｇｔｈ  Ｉｎｄｉｃａｔｏｒ）と、を含む。
【００１４】
第９の特徴に係る基地局は、アンライセンスドバンドにおいて、初期信号の送信前に空きチャネルの有無を確認する制御部を備える。前記制御部は、前記確認の完了後であって前記初期信号の送信開始が可能なシンボルが開始するまでの間、予約信号を送信する。前記予約信号は、サイクリックプレフィックスとして使用される。
【図面の簡単な説明】
【００１５】
【図１】第１実施形態及び第２実施形態に係るＬＴＥシステムの構成図である。
【図２】第１実施形態及び第２実施形態に係る無線インターフェイスのプロトコルスタック図である。
【図３】第１実施形態及び第２実施形態に係る無線フレームの構成図である。
【図４】第１実施形態及び第２実施形態に係るＵＥのブロック図である。
【図５】第１実施形態及び第２実施形態に係るｅＮＢのブロック図である。
【図６】第１実施形態及び第２実施形態に係るＬＡＡを説明するための図である。
【図７】第１実施形態に係る動作を示す図である。
【図８】第２実施形態に係る動作環境を示す図である。
【図９】第２実施形態に係る動作を示す図である。
【図１０】第３実施形態に係るＬＡＡを説明するための図である。
【図１１】第３実施形態に係るＬＢＴを説明するための図である。
【図１２】第３実施形態に係るＵＥのブロック図である。
【図１３】第３実施形態に係るｅＮＢのブロック図である。
【図１４】第３実施形態に係るｅＮＢの動作例１を示す図である。
【図１５】第３実施形態に係るｅＮＢの動作例２を示す図である。
【図１６】第３実施形態に係るｅＮＢの動作フロー図である。
【図１７】第３実施形態の変更例に係るｅＮＢの動作フロー図である。
【図１８】第４実施形態に係るｅＮＢが送信する信号を示す図である。
【図１９】付記１に係るＬＴＥビーコン送信の例を示す図である。
【図２０】付記１に係るＬＡＡヘッダの例を示す図である。
【図２１】付記２に係るベースラインモデルを示す図である。
【図２２】付記２に係るＦＢＥの潜在的な問題を示す図である。
【図２３】付記３に係るＵＥ測定報告を示す図である。
【図２４】付記４に係るＰＤＳＣＨのためのＯＦＤＭシンボルの例を示す図である。
【図２５】付記４に係る予約信号の例を示す図である。
【図２６】付記５に係るＬＡＡのための周波数領域での多重化の例を示す図である。
【図２７】付記５に係るＭＵ−ＭＩＭＯのための非適切なペアの例を示す図である。
【図２８】付記５に係るＭＵ−ＭＩＭＯのための測定報告を示す図である。
【図２９】付記６に係るＤＬ送信の概要を示す図である。
【図３０】付記６に係るＤＬデータ送信の開始タイミングを示す図である。
【図３１】付記６に係る1つのＯＦＤＭシンボル内の予約信号のケースを示す図である。
【図３２】付記６に係る部分的な重複ケースの例を示す図である。
【図３３】付記６に係る２つのOFDMシンボルを有する初期信号を示す図である。
【発明を実施するための形態】
【００１６】
［第１実施形態］
（第１実施形態の概要）
上述したＬＢＴ手順は、基地局における電力検出（ｅｎｅｒｇｙ  ｄｅｔｅｃｔｉｏｎ）がベースとなっている。しかしながら、基地局が自身の電力検出により得られる情報のみに基づいてアンライセンスドバンドにおける干渉を回避することは難しい。
【００１７】
そこで、第１実施形態及び第２実施形態は、アンライセンスドバンドにおける干渉回避を円滑化することが可能なユーザ端末及び基地局を提供する。
【００１８】
第１実施形態に係るユーザ端末は、移動通信システムにおいて用いられる。前記ユーザ端末は、アンライセンスドバンドにおける測定を指示する測定指示を基地局から受信する受信部と、前記測定指示において測定対象セルのセル識別子が指定されていなくても、前記測定指示の受信に応じて、前記アンライセンスドバンドに含まれる周波数チャネルにおいて送信される無線信号を探索し、該探索により検知した無線信号の受信電力を測定する制御部と、前記検知した無線信号の送信元の識別子及び前記受信電力の測定結果を含む測定報告を、前記基地局に送信する送信部と、を備える。
【００１９】
第１実施形態において、前記測定指示は、前記アンライセンスドバンドにおける測定対象の周波数チャネルを指定する情報を含む。前記制御部は、前記測定指示により指定された前記周波数チャネルにおいて送信される無線信号を探索する。
【００２０】
第１実施形態において、前記制御部は、前記アンライセンスドバンドにおいて前記移動通信システムのセルから送信される前記無線信号を探索し、該探索により検知した無線信号の受信電力を測定する。前記送信部は、前記検知した無線信号の送信元セルのセル識別子及び前記受信電力の測定結果を含む前記測定報告を送信する。
【００２１】
第１実施形態において、前記制御部は、前記基地局が属するオペレータとは異なるオペレータに属するセルから送信される前記無線信号を探索し、該探索により検知した無線信号の受信電力を測定する。
【００２２】
第１実施形態において、前記セル識別子は、前記送信元セルが属するオペレータを示すオペレータ情報を含む。
【００２３】
第１実施形態において、前記無線信号は、同期信号、参照信号、又はビーコン信号である。
【００２４】
第１実施形態において、前記制御部は、前記移動通信システムとは異なるシステムの装置から送信される前記無線信号を探索し、該探索により検知した無線信号の受信電力を測定する。
【００２５】
第１実施形態に係る基地局は、移動通信システムにおいて用いられる。前記基地局は、アンライセンスドバンドにおける測定を指示する測定指示をユーザ端末に送信する送信部と、前記ユーザ端末から測定報告を受信する受信部と、前記測定報告に基づいて、前記アンライセンスドバンドに含まれる周波数チャネルを自基地局において使用するか否かを判断する制御部と、を備える。前記測定報告は、前記周波数チャネルにおいて前記ユーザ端末が検知した無線信号の送信元の識別子、及び前記無線信号の受信電力の測定結果を含む。
【００２６】
第１実施形態において、前記制御部は、前記送信元の識別子の数が所定数以上であり、及び／又は、前記測定結果が閾値以上である場合、前記周波数チャネルを自基地局において使用しないと判断する。
【００２７】
第１実施形態において、前記送信元の識別子は、自基地局が前記アンライセンスドバンドにおいて運用する自セルのセル識別子と、自セル以外の送信元の識別子と、を含む。前記制御部は、自セルのセル識別子に対応する前記測定結果に比べて、自セル以外の送信元の識別子に対応する前記測定結果が大きい場合、前記周波数チャネルを自基地局において使用しないと判断する。
【００２８】
第１実施形態において、前記測定指示は、前記アンライセンスドバンドにおける測定対象の周波数チャネルを指定する情報を含む。
【００２９】
第１実施形態において、前記送信元の識別子は、セル識別子である。前記セル識別子は、前記送信元セルが属するオペレータを示すオペレータ情報を含む。
【００３０】
以下において、ＬＴＥシステムに本発明を適用する場合の実施形態を説明する。
【００３１】
（ＬＴＥシステムの概要）
先ず、ＬＴＥシステムのシステム構成について説明する。図１は、ＬＴＥシステムの構成を示す図である。
【００３２】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３３】
ＵＥ１００は、ユーザ端末に相当する。ＵＥ１００は、移動型の通信装置であり、セル（サービングセル）との無線通信を行う。ＵＥ１００の構成については後述する。
【００３４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３６】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３７】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４４】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４６】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。また、各サブフレームには、セル固有参照信号（ＣＲＳ：Ｃｅｌｌ  ｓｐｅｃｉｆｉｃ  Ｒｅｆｅｒｅｎｃｅ  Ｓｉｇｎａｌ）などの下りリンク参照信号が配置される。
【００４７】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。また、各サブフレームには、サウンディング参照信号（ＳＲＳ）などの上りリンク参照信号が配置される。
【００４８】
（ＵＥ１００の構成）
以下において、ＵＥ１００（ユーザ端末）の構成について説明する。図４は、ＵＥ１００の構成を示すブロック図である。図４に示すように、ＵＥ１００は、受信部１１０、送信部１２０、及び制御部１３０を備える。
【００４９】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【００５０】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【００５１】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００５２】
ＵＥ１００は、ユーザインターフェイス及びバッテリを備えてもよい。ユーザインターフェイスは、ＵＥ１００を所持するユーザとのインターフェイスであり、例えば、ディスプレイ、マイク、スピーカ、及び各種ボタン等を含む。ユーザインターフェイスは、ユーザからの操作を受け付けて、該操作の内容を示す信号を制御部１３０に出力する。バッテリは、ＵＥ１００の各ブロックに供給すべき電力を蓄える。
【００５３】
（ｅＮＢ２００の構成）
以下において、ｅＮＢ２００（基地局）の構成について説明する。図５は、ｅＮＢ２００のブロック図である。図５に示すように、ｅＮＢ２００は、送信部２１０、受信部２２０、制御部２３０、及びバックホール通信部２４０を備える。
【００５４】
送信部２１０は、制御部２３０の制御下で各種の送信を行う。送信部２１０は、アンテナ及び送信機を含む。送信機は、制御部１３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００５５】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００５６】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５７】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００５８】
（ＬＡＡ）
第１実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【００５９】
図６は、ＬＡＡを説明するための図である。図６に示すように、ｅＮＢ２００は、ライセンスドバンドで運用されるセル＃１と、アンライセンスドバンドで運用されるセル＃２と、を管理している。図６において、セル＃１がマクロセルであり、セル＃２が小セルである一例を図示しているが、セルサイズはこれに限定されない。
【００６０】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【００６１】
図６の例では、ＵＥ１００は、上りリンク通信及び下りリンク通信をセル＃１と行い、下りリンク通信をセル＃２と行う。このようなキャリアアグリゲーションにより、ＵＥ１００には、ライセンスドバンドの無線リソースに加えて、アンライセンスドバンドの無線リソースが提供されるため、下りリンクのスループットを向上させることができる。ＵＥ１００は、セル＃２との上りリンク通信をさらに行ってもよい。
【００６２】
アンライセンスドバンドにおいては、ＬＴＥシステムとは異なるシステム（無線ＬＡＮ等）又は他のオペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、周波数チャネル（キャリア）が空いているか否かを受信電力に基づいて確認し、空きチャネル（ｃｌｅａｒ  ｃｈａｎｎｅｌ）であることが確認された場合に限り当該周波数チャネルを使用する手順である。
【００６３】
ｅＮＢ２００は、ＬＢＴ手順により、セル＃２（アンライセンスドバンド）において空きチャネルを検索し、空きチャネルに含まれる無線リソースをＵＥ１００に割り当てる（スケジューリング）。ｅＮＢ２００は、セル＃２を介して、セル＃２におけるスケジューリングを行う。或いは、ｅＮＢ２００は、セル＃１を介して、セル＃２におけるスケジューリングを行ってもよい（すなわち、クロスキャリアスケジューリング）。
【００６４】
（第１実施形態に係る動作）
上述したＬＢＴ手順は、ｅＮＢ２００における電力検出（ｅｎｅｒｇｙ  ｄｅｔｅｃｔｉｏｎ）がベースとなっている。しかしながら、ｅＮＢ２００が自身の電力検出により得られる情報のみに基づいてアンライセンスドバンドにおける干渉を回避することは難しい。
【００６５】
その理由として、第１に、ＵＥ１００が検知する無線信号を必ずしもｅＮＢ２００が検知できるとは限らない。言い換えると、ｅＮＢ２００が検出できず、ＵＥ１００が検出可能な干渉源が存在し得る。このため、ｅＮＢ２００が空きチャネルであると判断した周波数チャネルを使用した際に、ＵＥ１００が干渉源から干渉の影響を受けることがあり得る。
【００６６】
第２に、ｅＮＢ２００が干渉源に関する情報を事前に得ていれば干渉回避が比較的容易であるが、干渉源が他のオペレータのｅＮＢであるような場合、干渉源に関する情報を他のオペレータから得ることは困難である。
【００６７】
以下において、アンライセンスドバンドにおける干渉回避を円滑化するための第１実施形態に係る動作について説明する。図７は、第１実施形態に係る動作を示す図である。図７の初期状態において、ＵＥ１００は、ＬＡＡ（キャリアアグリゲーション）を開始していない。この場合、ＵＥ１００は、ＲＲＣコネクティッド状態であってもよいし、ＲＲＣアイドル状態であってもよい。或いは、ＵＥ１００は、ＬＡＡを実行中の状態である。この場合、ＵＥ１００は、ＲＲＣコネクティッド状態である。
【００６８】
図７に示すように、ステップＳ１１において、ｅＮＢ２００の送信部２１０は、アンライセンスドバンドにおける測定を指示する測定指示をＵＥ１００に送信する。
【００６９】
ＬＡＡが開始されていない場合、ｅＮＢ２００の送信部２１０は、セル＃１（ライセンスドバンド）を介して測定指示をＵＥ１００に送信する。ＬＡＡを実行中である場合、ｅＮＢ２００の送信部２１０は、セル＃１（ライセンスドバンド）及びセル＃２（アンライセンスドバンド）の何れかを介して測定指示をＵＥ１００に送信する。測定指示は、個別メッセージ（例えば個別ＲＲＣメッセージ）であってもよいし、ブロードキャストメッセージ（例えばブロードキャストＲＲＣメッセージ）であってもよい。
【００７０】
測定指示は、アンライセンスドバンドにおける測定対象の周波数チャネルを指定する情報を含むことが好ましい。例えば、ＬＡＡに使用する候補の周波数チャネル、又はＬＡＡに使用中の周波数チャネルを測定対象として指定する。
【００７１】
但し、測定指示は、測定対象セルのセル識別子を指定する情報を含まなくてもよい。アンライセンスドバンドにおいては、他のオペレータのｅＮＢ又は他のシステムの装置（例えば無線ＬＡＮアクセスポイント）が干渉源となり得るため、特定のセルについてのみ測定を行うのでは不十分であるためである。
【００７２】
ＵＥ１００の受信部１１０は、アンライセンスドバンドにおける測定を指示する測定指示をｅＮＢ２００から受信する。
【００７３】
ステップＳ１２において、ＵＥ１００の制御部１３０は、測定指示の受信に応じて、アンライセンスドバンドに含まれる周波数チャネルにおいて送信される無線信号を探索し、該探索により検知した無線信号の受信電力を測定する。測定指示により周波数チャネル指定されている場合、ＵＥ１００の制御部１３０は、指定された周波数チャネルにおいて送信される無線信号を探索する。測定指示により周波数チャネル指定されていない場合、ＵＥ１００の制御部１３０は、アンライセンスドバンドに含まれる各周波数チャネルにおいて送信される無線信号を探索してもよい。
【００７４】
ＵＥ１００の制御部１３０は、アンライセンスドバンドにおいてＬＴＥシステムのセルから送信される無線信号を探索し、該探索により検知した無線信号の受信電力を測定する。この場合、当該無線信号は、同期信号、参照信号、又はＬＴＥビーコン信号である。同期信号は、例えばプライマリ同期信号（ＰＳＳ）及び／又はセカンダリ同期信号（ＳＳＳ）である。参照信号は、例えばディスカバリー参照信号（ＤＲＳ）である。
【００７５】
ＵＥ１００の制御部１３０は、受信した同期信号及び／又は参照信号に基づいて、送信元のセル識別子を特定可能である。セル識別子は、送信元セルが属するオペレータを示すオペレータ情報を含むことが好ましい。例えば、セル識別子の一部をオペレータ識別子として使用する。なお、ＬＴＥビーコン信号については、第２実施形態において説明する。
【００７６】
また、ＵＥ１００の制御部１３０は、ｅＮＢ２００が属するオペレータとは異なるオペレータに属するセルから送信される無線信号を探索し、該探索により検知した無線信号の受信電力を測定することが好ましい。上述したように、他のオペレータのｅＮＢが干渉源となり得るためである。
【００７７】
さらに、ＵＥ１００の制御部１３０は、ＬＴＥシステムとは異なるシステムの装置（例えば無線ＬＡＮアクセスポイント）から送信される無線信号を探索し、該探索により検知した無線信号の受信電力を測定してもよい。上述したように、他のシステムの装置が干渉源となり得るためである。この場合、無線信号は、例えば無線ＬＡＮビーコン信号である。
【００７８】
ステップＳ１３において、ＵＥ１００の送信部１２０は、検知した無線信号の送信元の識別子（セル識別子）及び受信電力の測定結果を含む測定報告をｅＮＢ２００に送信する。複数のセルの無線信号が検知された場合、測定報告は、各セルのセル識別子と、各セル識別子と対応付けられた測定結果とを含む。測定報告は、セル識別子ごとに、ＵＥ１００が測定を行った周波数チャネルを示す情報をさらに含むことが好ましい。他のシステムの装置の無線信号が検知された場合、測定報告は、当該他のシステムの装置の識別子をさらに含むことが好ましい。
【００７９】
ＬＡＡが開始されていない場合、ＵＥ１００の送信部１２０は、測定報告をセル＃１（ライセンスドバンド）に送信する。ＬＡＡを実行中である場合、ＵＥ１００の送信部１２０は、セル＃１（ライセンスドバンド）及びセル＃２（アンライセンスドバンド）の何れかに測定報告を送信する。測定報告は、例えば個別ＲＲＣメッセージである。
【００８０】
ｅＮＢ２００の受信部２２０は、ＵＥ１００から測定報告を受信する。
【００８１】
ステップＳ１４において、ｅＮＢ２００の制御部２３０は、測定報告に基づいて、アンライセンスドバンドに含まれる周波数チャネルを自ｅＮＢ２００（セル＃２）において使用するか否かを判断する。言い換えると、ｅＮＢ２００の制御部２３０は、アンライセンスドバンドにおいて使用可能な周波数チャネルを選択する。
【００８２】
ｅＮＢ２００の制御部２３０は、送信元の識別子の数が所定数以上であり、及び／又は、測定結果が閾値以上である場合、当該周波数チャネルを自ｅＮＢ２００において使用しないと判断する。言い換えると、当該周波数チャネルを多くのセル及び／又は装置が使用している場合、当該周波数チャネルを使用しない。或いは、当該周波数チャネルにおいて強い干渉源が存在する、当該周波数チャネルを使用しない。
【００８３】
或いは、ｅＮＢ２００の制御部２３０は、自セル（セル＃２）のセル識別子に対応する測定結果に比べて、自セル以外の送信元（他セル又はアクセスポイント）の識別子に対応する測定結果が大きい場合、当該周波数チャネルを自ｅＮＢ２００において使用しないと判断する。このような判断は、ＬＡＡを実行中において特に有効である。
【００８４】
ｅＮＢ２００の制御部２３０は、測定報告に基づくチャネル選択と、自ｅＮＢにおける電力検出（ｅｎｅｒｇｙ  ｄｅｔｅｃｔｉｏｎ）に基づくチャネル選択とを併用してもよい。
【００８５】
なお、セル識別子がオペレータ情報を含む場合、ｅＮＢ２００の制御部２３０は、オペレータ情報に基づいて、干渉回避のためのネゴシエーションを行うか否かを判断してもよい。同一オペレータであれば、バックホールを介して通信可能であるため、セル識別子に対応する他セルを管理する他ｅＮＢに対してアクセスし、ネゴシエーションを行ってもよい。
【００８６】
また、詳細については第２実施形態にて説明するが、ＬＴＥビーコン信号は、異なるオペレータに属するｅＮＢ２００に対する通信手段になり得る。よって、他オペレータに属するｅＮＢ２００に対しては、バックホールを介したネゴシエーションに代えて、ＬＴＥビーコン信号により干渉抑制を要求してもよい。例えば、送信電力を下げて欲しい旨、或いはリソース割り当てを制限して欲しい旨をＬＴＥビーコン信号により要求する。その際、宛先ｅＮＢの識別子（セル識別子）も含めることも可能であり、当該宛先ｅＮＢを指定して要求を行ってもよい。当該宛先ｅＮＢは、当該ＬＴＥビーコン信号の受信に応じて、さらにＬＴＥビーコン信号により応答（例えば肯定応答又は否定応答）してもよい。
【００８７】
［第１実施形態の変更例］
ＵＥ１００にＬＢＴ手順が適用される場合、ＵＥ１００の制御部１３０は、定期的に、受信電力を測定し、受信電力の測定結果が基準を満たすか（閾値よりも低いか）否かを評価する。その際、ＵＥ１００の制御部１３０は、受信電力の測定結果が基準を満たすまでの測定回数（評価回数）をカウントし、そのカウント値（すなわち、ＬＢＴに成功するまでの失敗回数）を測定報告に含めてもよい。このようなカウント値は、該当する周波数チャネルの混雑度を示すものであり、「混雑度情報」とみなすことができる。
【００８８】
ＵＥ１００の制御部１３０は、ＬＴＥ及び他システムの両方の無線信号を検知した場合、ＬＴＥの受信電力及び他システムの受信電力を測定し、ＬＴＥの受信電力及び他システムの受信電力の電力比率を求めて、電力比率を測定報告に含めてもよい。ここで、他システムとして無線ＬＡＮを対象とし、ＬＴＥの受信電力及び無線ＬＡＮの受信電力の電力比率を測定報告に含めてもよい。このような電力比率は、上述した混雑度の要因を示す情報であり、「混雑要因情報」とみなすことができる。
【００８９】
詳細については第２実施形態にて説明するが、ＬＴＥビーコン信号は、ｅＮＢ２００で得た混雑度情報及び／又は混雑要因情報を含み得る。よって、一のｅＮＢ２００に接続するＵＥ１００は、他のｅＮＢ２００から受信したＬＴＥビーコン信号に含まれる混雑度情報及び／又は混雑要因情報を取得し、取得した混雑度情報及び／又は混雑要因情報を測定報告に含めて当該一のｅＮＢ２００に送信してもよい。
【００９０】
［第２実施形態］
（第２実施形態の概要）
第２実施形態に係る基地局は、移動通信システムにおいて用いられる。前記基地局は、アンライセンスドバンドに含まれる周波数チャネルにおいて送信される無線信号を探索し、該探索により検知した無線信号の受信電力を測定する制御部と、前記受信電力の測定結果に基づくビーコン信号を無線により送信する送信部と、を備える。前記ビーコン信号は、該ビーコン信号を受信した他の基地局において前記周波数チャネルを使用するか否かを判断する際に参照される。
【００９１】
第２実施形態において、前記他の基地局は、自基地局が属するオペレータとは異なるオペレータに属する基地局である。
【００９２】
第２実施形態において、前記ビーコン信号は、前記周波数チャネルを示す情報と前記受信電力の測定結果とを含む。
【００９３】
第２実施形態において、前記制御部は、前記移動通信システム及び他システムのそれぞれについて測定した受信電力から電力比率を算出し、該電力比率を前記ビーコン信号に含める。
【００９４】
第２実施形態において、前記制御部は、受信電力の測定結果が所定の基準を満たすまでに要した電力測定回数又は電力測定期間を算出し、算出して得た値を前記ビーコン信号に含める。
【００９５】
第２実施形態の変更例２において、前記基地局は、ユーザ端末から測定報告を受信する受信部をさらに備える。前記測定報告は、前記周波数チャネルにおいて前記ユーザ端末が検知した無線信号の送信元の識別子、及び前記無線信号の受信電力の測定結果を含む。前記ビーコン信号は、前記測定報告にさらに基づく。
【００９６】
第２実施形態に係る基地局は、移動通信システムにおいて用いられる。前記基地局は、アンライセンスドバンドに含まれる周波数チャネルにおいて送信される無線信号の受信電力の測定結果に基づくビーコン信号を無線により他の基地局から受信する受信部と、前記ビーコン信号に基づいて、前記周波数チャネルを自基地局において使用するか否かを判断する制御部と、を備える。
【００９７】
以下において、第２実施形態について、第１実施形態との相違点を主として説明する。
【００９８】
第２実施形態において、ｅＮＢ２００は、自ｅＮＢにおける電力検出（ｅｎｅｒｇｙ  ｄｅｔｅｃｔｉｏｎ）の結果を他ｅＮＢと共有する。或いは、ｅＮＢ２００は、自ｅＮＢにおける電力検出の結果に基づいて他ｅＮＢに干渉回避のための要求を行ってもよい。
【００９９】
（第２実施形態に係る動作環境）
図８は、第２実施形態に係る動作環境を示す図である。図８に示すように、ｅＮＢ２００Ａは、ライセンスドバンドで運用されるセル＃１と、アンライセンスドバンドで運用されるセル＃２と、を管理している。ｅＮＢ２００Ｂは、アンライセンスドバンドで運用されるセル＃３を管理している。ｅＮＢ２００Ｂは、ライセンスドバンドで運用されるセルをさらに管理していてもよい。セル＃２及びセル＃３は少なくとも一部が重複している。図８において、セル＃１がマクロセルであり、セル＃２及び＃３が小セルである一例を図示しているが、セルサイズはこれに限定されない。ｅＮＢ２００Ａ及びｅＮＢ２００Ｂは、異なるオペレータに属する。このため、ｅＮＢ２００Ａ及びｅＮＢ２００Ｂは、バックホールを介して通信を行うことが困難である。
【０１００】
（第２実施形態に係る動作）
以下において、アンライセンスドバンドにおける干渉回避を円滑化するための第２実施形態に係る動作について説明する。図９は、第２実施形態に係る動作を示す図である。
【０１０１】
図９に示すように、ステップＳ２１において、ｅＮＢ２００Ａの制御部２３０は、アンライセンスドバンドに含まれる周波数チャネルにおいて送信される無線信号を探索し、該探索により検知した無線信号の受信電力を測定する。ｅＮＢ２００Ａの制御部２３０は、特定の周波数チャネルにおいて送信される無線信号を探索する。或いは、ｅＮＢ２００Ａの制御部２３０は、アンライセンスドバンドに含まれる各周波数チャネルにおいて送信される無線信号を探索してもよい。
【０１０２】
ｅＮＢ２００Ａの制御部２３０は、アンライセンスドバンドにおいてＬＴＥシステムのセルから送信される無線信号を探索し、該探索により検知した無線信号の受信電力を測定する。この場合、当該無線信号は、同期信号又は参照信号である。同期信号は、例えばプライマリ同期信号（ＰＳＳ）及び／又はセカンダリ同期信号（ＳＳＳ）である。参照信号は、例えばディスカバリー参照信号（ＤＲＳ）である。
【０１０３】
ｅＮＢ２００Ａの制御部２３０は、受信した同期信号及び／又は参照信号に基づいて、送信元のセル識別子を特定可能である。セル識別子は、送信元セルが属するオペレータを示すオペレータ情報を含むことが好ましい。例えば、セル識別子の一部をオペレータ識別子として使用する。
【０１０４】
また、ｅＮＢ２００Ａの制御部２３０は、自身が属するオペレータとは異なるオペレータに属するセルから送信される無線信号を探索し、該探索により検知した無線信号の受信電力を測定することが好ましい。上述したように、他のオペレータのｅＮＢが干渉源となり得るためである。
【０１０５】
さらに、ｅＮＢ２００Ａの制御部２３０は、ＬＴＥシステムとは異なるシステムの装置（例えば無線ＬＡＮアクセスポイント）から送信される無線信号を探索し、該探索により検知した無線信号の受信電力を測定してもよい。上述したように、他のシステムの装置が干渉源となり得るためである。この場合、無線信号は、例えば無線ＬＡＮビーコン信号である。
【０１０６】
ステップＳ２２において、ｅＮＢ２００Ａの送信部２１０は、ステップＳ２１における受信電力の測定結果に基づくＬＴＥビーコン信号を無線により送信する。ＬＴＥビーコン信号は、アンライセンスドバンド（セル＃２）において送信される。ＬＴＥビーコン信号は、周波数チャネルを示す情報と受信電力の測定結果とを含む。複数の周波数チャネルについて測定を行った場合、ＬＴＥビーコン信号は、周波数チャネルごとに受信電力の測定結果を含む。
【０１０７】
なお、ｅＮＢ２００Ａの制御部２３０は、ＬＢＴ手順により、定期的に、受信電力を測定し、受信電力の測定結果が基準を満たすか（閾値よりも低いか）否かを評価してもよい。その際、ｅＮＢ２００Ａの制御部２３０は、受信電力の測定結果が基準を満たすまでの測定回数（評価回数）又は測定期間（評価期間）を算出し、その値をビーコン信号に含めてもよい。このような値は、該当する周波数チャネルの混雑度を示すものであり、「混雑度情報」とみなすことができる。
【０１０８】
また、ｅＮＢ２００Ａの制御部２３０は、ＬＴＥ及び他システムの両方の無線信号を検知した場合、ＬＴＥの受信電力及び他システムの受信電力を測定し、ＬＴＥの受信電力及び他システムの受信電力の電力比率を求めて、電力比率をビーコン信号に含めてもよい。ここで、他システムとして無線ＬＡＮを対象とし、ＬＴＥの受信電力及び無線ＬＡＮの受信電力の電力比率を測定報告に含めてもよい。このような電力比率は、上述した混雑度の要因を示す情報であり、「混雑要因情報」とみなすことができる。或いは、検出したＬＴＥ干渉源装置の数及び検出した他システム干渉現装置の数の割合を求め、これを混雑要因情報としてもよい。
【０１０９】
ＬＴＥビーコン信号は、ブロードキャストで送信される。或いは、ＬＴＥビーコン信号は、ステップＳ２１において高い電力が測定されたセル識別子（或いはアクセスポイント識別子）を宛先として含み、ユニキャストで送信されてもよい。ユニキャストで送信されるＬＴＥビーコン信号は、宛先に対して干渉回避の措置を要求する要求信号とみなすことができる。ＬＴＥビーコン信号は、宛先が属するオペレータを示すオペレータ識別子をさらに含んでもよい。
【０１１０】
ｅＮＢ２００Ｂの受信部２２０は、ＬＴＥビーコン信号を受信する。
【０１１１】
ｅＮＢ２００Ｂの制御部２３０は、ＬＴＥビーコン信号に基づいて、アンライセンスドバンドに含まれる周波数チャネルを自ｅＮＢ２００において使用するか否かを判断する。
【０１１２】
例えば、ｅＮＢ２００Ｂの制御部２３０は、ＬＴＥビーコン信号に含まれる測定結果が閾値よりも大きい場合、当該測定結果に対応する周波数チャネルを使用しないと判断する。ｅＮＢ２００Ｂの制御部２３０は、ＬＴＥビーコン信号に基づくチャネル選択と、自ｅＮＢにおける電力検出（ｅｎｅｒｇｙ  ｄｅｔｅｃｔｉｏｎ）に基づくチャネル選択とを併用してもよい。
【０１１３】
また、ＬＴＥビーコン信号が自身宛のものである場合、ｅＮＢ２００Ｂの制御部２３０は、ＬＴＥビーコン信号に含まれる測定結果に基づいて、使用中の周波数チャネルの送信電力を低下させる等の措置をとることが好ましい。上述したように、ｅＮＢ２００Ｂは、当該ＬＴＥビーコン信号の受信に応じて、さらにＬＴＥビーコン信号により応答（例えば肯定応答又は否定応答）してもよい。
【０１１４】
[第２実施形態の変更例]
上述した第１実施形態を第２実施形態と組み合わせてもよい。具体的には、ｅＮＢ２００Ａの受信部２２０は、第１実施形態で説明した測定報告をＵＥ１００から受信する。測定報告は、アンライセンスドバンドに含まれる周波数チャネルにおいてＵＥ１００が検知した無線信号の送信元の識別子、及び無線信号の受信電力の測定結果等を含む。
【０１１５】
そして、ｅＮＢ２００Ａの制御部２３０は、ＵＥ１００から受信した測定報告に含まれる少なくとも一部の情報をＬＴＥビーコン信号に含めることが可能である。
【０１１６】
[その他の変更例]
上述した実施形態において、一の周波数チャネルで送信されるＬＴＥビーコン信号に、当該一の周波数チャネルだけでなく周波数チャネル全体の利用率（混雑度）を含めてもよい。
【０１１７】
或いは、一の周波数チャネル（キャリア）の利用率（混雑度）を、他の周波数チャネルで送信されるＬＴＥビーコン信号に含めてもよい。
【０１１８】
上述した第１実施形態及び第２実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０１１９】
上述した第１実施形態及び第２実施形態において、移動通信システムとしてＬＴＥシステムを例示した。しかしながら、本発明はＬＴＥシステムに限定されない。ＬＴＥシステム以外のシステムに本発明を適用してもよい。
【０１２０】
［第３実施形態］
（第３実施形態の概要）
通信装置（例えば基地局）は、アンライセンスドバンドのチャネルにおいて無線信号を送信する前に、所定の時間長を有する観測期間内で当該チャネルの使用状況を観測し、当該チャネルが空きチャネルであるか否かを確認する。このような観測期間は、ＬＢＴ期間又はＣＣＡ（Ｃｌｅａｒ  Ｃｈａｎｎｅｌ  Ａｓｓｅｓｓｍｅｎｔ）期間と称されることがある。
【０１２１】
アンライセンスドバンドにおいて、異なるオペレータに属する複数の基地局が近接して設置されるようなシナリオを想定する。
【０１２２】
このシナリオにおいて、一の基地局における観測期間と他の基地局における観測期間とが少なくとも一部重複し得る。この場合、各基地局は、アンライセンスドバンドのチャネルについて自身の観測期間内で所定量以上の受信電力（干渉電力）を検知せず、当該チャネルを空きチャネルと判断し得る。その結果、複数の基地局が同一のチャネルで略同時に無線信号を送信することにより、干渉が発生する懸念がある。
【０１２３】
そこで、第３実施形態は、アンライセンスドバンドにおける干渉の発生を回避可能とする。
【０１２４】
第３実施形態に係る通信装置は、アンライセンスドバンドのチャネルにおいて無線信号を送信する前に、所定の時間長を有する観測期間内で前記チャネルの使用状況を観測し、前記チャネルが空きチャネルであるか否かを確認する制御部を備える。前記制御部は、他の通信装置から送信される無線信号に基づいて前記他の通信装置との同期ずれ量を検出し、前記同期ずれ量に応じて前記観測期間の開始タイミングを変更する制御部を備える。
【０１２５】
第３実施形態において、前記制御部は、前記同期ずれ量が、前記観測期間の時間長に応じて定められる閾値以下であると判断した場合に、前記観測期間の開始タイミングを変更する。
【０１２６】
第３実施形態において、前記制御部は、前記同期ずれ量が前記閾値以下であり、かつ、前記他の通信装置の基準時間よりも自通信装置の基準時間が進んでいると判断した場合に、前記観測期間の開始タイミングを所定時間だけ早める。
【０１２７】
第３実施形態において、前記所定時間の時間長は、前記観測期間の時間長以上である。
【０１２８】
第３実施形態において、前記観測期間内で前記チャネルの使用状況を観測した結果、前記チャネルが空きチャネルであることが確認された場合、前記制御部は、前記観測期間の終了タイミングから無線信号の送信開始タイミングまでの間に、予約信号を送信する。
【０１２９】
第３実施形態において、前記制御部は、前記同期ずれ量が前記閾値以下であり、かつ、前記他の通信装置の基準時間よりも自通信装置の基準時間が遅れていると判断した場合に、前記観測期間の開始タイミングを所定時間だけ遅らせる。
【０１３０】
第３実施形態において、前記所定時間の時間長は、前記観測期間の時間長以上である。
【０１３１】
第３実施形態において、前記制御部は、前記同期ずれ量がゼロであると判断した場合、又は、前記他の通信装置の基準時間よりも自通信装置の基準時間が進んでいるか又は遅れているかの判断が不能である場合に、前記観測期間の開始タイミングをランダムに変更する。
【０１３２】
第３実施形態において、自通信装置が一のオペレータに属する基地局であり、かつ、前記他の通信装置が他のオペレータに属する基地局である。
【０１３３】
第３実施形態に係る通信制御方法は、アンライセンスドバンドのチャネルにおいて無線信号を送信する前に、所定の時間長を有する観測期間内で前記チャネルの使用状況を観測し、前記チャネルが空きチャネルであるか否かを確認する通信装置における方法である。前記通信制御方法は、他の通信装置から送信される無線信号に基づいて前記他の通信装置との同期ずれ量を検出するステップと、前記同期ずれ量に応じて前記観測期間の開始タイミングを変更するステップと、を含む。
【０１３４】
以下において、第３実施形態について、第１実施形態及び第２実施形態との相違点を主として説明する。
【０１３５】
（アンライセンスドバンド）
第３実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【０１３６】
図１０は、ＬＡＡを説明するための図である。図１０に示すように、ｅＮＢ２００は、ライセンスドバンドで運用されるセル＃１と、アンライセンスドバンドで運用されるセル＃２と、を管理している。図１０において、セル＃１がマクロセルであり、セル＃２が小セルである一例を図示しているが、セルサイズはこれに限定されない。
【０１３７】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【０１３８】
図１０の例では、ＵＥ１００は、上りリンク通信及び下りリンク通信をセル＃１と行い、上りリンク通信及び下りリンク通信をセル＃２と行う。このようなキャリアアグリゲーションにより、ＵＥ１００には、ライセンスドバンドの無線リソースに加えて、アンライセンスドバンドの無線リソースが提供されるため、スループットを向上させることができる。
【０１３９】
（ＬＢＴ）
アンライセンスドバンドにおいては、ＬＴＥシステムとは異なる他システム（無線ＬＡＮ等）又は他オペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、アンライセンスドバンドのチャネル（キャリア）が空いているか否かを受信電力（干渉電力）に基づいて確認し、空きチャネル（ｃｌｅａｒ  ｃｈａｎｎｅｌ）であることが確認された場合に限り当該チャネルを使用する手順である。
【０１４０】
第３実施形態において、ｅＮＢ２００は、アンライセンスドバンドのチャネルにおいて無線信号（制御信号又はデータ）を送信する前に、所定の時間長を有する観測期間内で当該チャネルの使用状況を観測し、当該チャネルが空きチャネルであるか否かを確認する。以下において、観測期間を「ＬＢＴ期間」と称する。
【０１４１】
図１１は、第３実施形態に係るＬＢＴを説明するための図である。第３実施形態において、ＬＢＴの一方式であるＦＢＥ（Ｆｒａｍｅ  Ｂａｓｅｄ  Ｅｑｕｉｐｍｅｎｔ）を主として説明する。ＦＢＥは、需要主導型（ｄｅｍａｎｄ−ｄｒｉｖｅｎ）ではなく、タイミングが固定された方式である。これに対し、ＬＢＴの他方式であるＬＢＥ（Ｌｏａｄ  Ｂａｓｅｄ  Ｅｑｕｉｐｍｅｎｔ）は、タイミングが固定されておらず、需要主導型（ｄｅｍａｎｄ−ｄｒｉｖｅｎ）の方式である。
【０１４２】
図１１に示すように、ｅＮＢ２００は、サブフレームの直前のＬＢＴ期間内で、アンライセンスドバンドのチャネルの使用状況を観測する。ＬＢＴ期間は、例えば２０［μｓ］以上である。具体的には、ｅＮＢ２００は、ＬＢＴ期間内で所定量以上の受信電力（干渉電力）を検知した場合に、当該チャネルが使用中であると判断し、次の固定フレーム期間についてＬＢＴを行うまで待ち状態になる。
【０１４３】
これに対し、ＬＢＴ期間内で所定量以上の受信電力（干渉電力）を検知しない場合、ｅＮＢ２００は、当該チャネルが空き（ｃｌｅａｒ）であると判断し、所定の期間（チャネル占有時間）だけ当該チャネルを使用して送信を行う。チャネル占有時間は、例えば１［ｍｓ］乃至１０［ｍｓ］の範囲内である。チャネル占有時間の経過後のアイドル期間内で、ｅＮＢ２００は送信を行わない。アイドル期間は、例えばチャネル占有時間の５％よりも長い期間である。そして、ｅＮＢ２００は、次の固定フレーム期間についてＬＢＴを行う。
【０１４４】
このように、ＦＢＥ方式において、ｅＮＢ２００は、固定フレーム期間ごとにＬＢＴを行う。
【０１４５】
（ユーザ端末）
以下において、第３実施形態に係るＵＥ１００（ユーザ端末）について説明する。図１２は、ＵＥ１００のブロック図である。図１２に示すように、ＵＥ１００は、受信部１１０、送信部１２０、及び制御部１３０を備える。
【０１４６】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【０１４７】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【０１４８】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【０１４９】
（基地局）
以下において、ｅＮＢ２００（基地局）の構成について説明する。図１３は、ｅＮＢ２００のブロック図である。図１３に示すように、ｅＮＢ２００は、送信部２１０、受信部２２０、制御部２３０、及びバックホール通信部２４０を備える。
【０１５０】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【０１５１】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【０１５２】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【０１５３】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【０１５４】
このように構成されたｅＮＢ２００の動作の概要について説明する。ｅＮＢ２００において、制御部２３０は、アンライセンスドバンドのチャネルにおいて無線信号を送信する前に、所定の時間長を有するＬＢＴ期間内で当該チャネルの使用状況を観測し、当該チャネルが空きチャネルであるか否かを確認する。
【０１５５】
制御部２３０は、他のｅＮＢ２００から送信される無線信号に基づいて他のｅＮＢ２００との同期ずれ量を検出し、同期ずれ量に応じてＬＢＴ期間の開始タイミングを変更する。第３実施形態において、自ｅＮＢ２００が一のオペレータに属し、かつ、他のｅＮＢ２００が他のオペレータに属する。
【０１５６】
他のｅＮＢ２００から送信される無線信号とは、ビーコン信号、ＤＲＳ（Ｄｉｓｃｏｖｅｒｙ  Ｒｅｆｅｒｅｎｃｅ  Ｓｉｇｎａｌ）、又は同期信号などである。これらの信号には、送信元セルを識別する情報が含まれる。これらの信号には、送信元セルが属するオペレータを識別する情報が含まれてもよい。また、これらの信号には、当該他のｅＮＢ２００におけるＬＢＴ設定パラメータ（例えばＬＢＴ期間の時間長）が含まれていてもよい。さらに、これらの信号には、当該信号の送信電力を示す情報が含まれていてもよい。或いは、当該信号の送信電力は予め規定されていてもよい。
【０１５７】
制御部２３０は、同期ずれ量が、ＬＢＴ期間の時間長（例えば２０［μｓ］）に応じて定められる閾値以下である場合に、ＬＢＴ期間の開始タイミングを変更する。以下において、当該閾値がＬＢＴ期間の時間長と同じ値である場合を例示する。但し、自ｅＮＢ２００のＬＢＴ期間と他のｅＮＢ２００のＬＢＴ期間との重複（以下、「ＬＢＴ重複時間」と称する）が短い場合には、当該重複を許容し得る。このため、閾値は、ＬＢＴ期間の時間長（例えば２０［μｓ］）よりも小さい値としてもよい。
【０１５８】
第３実施形態において、制御部２３０は、自ｅＮＢ２００のＬＢＴ期間及び他のｅＮＢ２００のＬＢＴ期間が少なくとも一部重複すると判断した場合に、自ｅＮＢ２００のＬＢＴ期間の開始タイミングを変更する。具体的には、制御部２３０は、自ｅＮＢ２００のＬＢＴ期間及び他のｅＮＢ２００のＬＢＴ期間が少なくとも一部重複すると判断した場合に、自ｅＮＢ２００のＬＢＴ期間及び他のｅＮＢ２００のＬＢＴ期間が重複しないように、自ｅＮＢ２００のＬＢＴ期間の開始タイミングを変更する。
【０１５９】
図１４は、第３実施形態に係るｅＮＢ２００の動作例１を示す図である。以下において、自ｅＮＢ２００をｅＮＢ２００Ａと表記し、他オペレータの他ｅＮＢ２００をｅＮＢ２００Ｂと表記する。
【０１６０】
図１４（ａ）及び（ｂ）に示すように、ｅＮＢ２００ＡとｅＮＢ２００Ｂとの間の同期ずれ量がＬＢＴ期間の時間長以下であり、かつ、ｅＮＢ２００Ｂのサブフレーム先頭（基準時間）よりもｅＮＢ２００Ａのサブフレーム先頭（基準時間）が進んでいる。ｅＮＢ２００Ｂのサブフレーム先頭（基準時間）は、他のｅＮＢ２００から送信される無線信号から特定することができる。なお、他のｅＮＢ２００から送信される無線信号の送信電力を把握している場合、ｅＮＢ２００Ａの制御部２３０は、当該無線信号の送信電力及び受信電力に基づいて伝搬損失（パスロス）を算出することにより、ｅＮＢ２００Ｂとの間の伝搬遅延を導出してもよい。そして、当該伝搬遅延も考慮してｅＮＢ２００Ｂのサブフレーム先頭（基準時間）を推定してもよい。但し、伝搬遅延を導出する処理は必須ではなく、当該処理を行わなくてもよい。
【０１６１】
図１４（ａ）及び（ｂ）に示す状況下で、図１４（ｃ）に示すように、ｅＮＢ２００Ａの制御部２３０は、ｅＮＢ２００ＡのＬＢＴ期間の開始タイミングを所定時間だけ早める。当該所定時間は、ＬＢＴ期間の時間長以上である。或いは、ｅＮＢ２００ＢがｅＮＢ２００ＢのＬＢＴ期間の開始タイミングを遅らせることを想定すると、当該所定時間は、ＬＢＴ期間の時間長の半分以上としてもよい。或いは、短いＬＢＴ重複時間を許容する場合、当該所定時間は、ＬＢＴ期間の時間長未満であってもよい。
【０１６２】
図１４（ｃ）に示す例において、ｅＮＢ２００ＡのＬＢＴ期間は、図１４（ａ）に示す本来のＬＢＴ期間に比べて、１ＬＢＴ期間分だけ前に設定されている。ここで、「１ＬＢＴ期間」は、予め定められた時間長（例えば２０［μｓ］）である。或いは、ｅＮＢ２００ＡがｅＮＢ２００ＢのＬＢＴ設定パラメータを取得している場合、「１ＬＢＴ期間」は、ｅＮＢ２００Ｂに設定されているＬＢＴ期間の時間長であってもよい。
【０１６３】
図１４（ｃ）に示すように、ｅＮＢ２００Ａの制御部２３０は、ＬＢＴ期間内でチャネルの使用状況を観測した結果、当該チャネルが空きチャネルであることが確認された場合に、ＬＢＴ期間の終了タイミングから無線信号（制御信号又はデータ）の送信開始タイミング（すなわち、サブフレーム先頭）までの間に、予約信号（ｒｅｓｅｒｖａｔｉｏｎ  ｓｉｇｎａｌ）を送信する。「ｒｅｓｅｒｖａｔｉｏｎ  ｓｉｇｎａｌ」は、当該チャネルが空きチャネルであると他装置に判断されないために送信する信号であって、制御信号又はデータとは異なる信号（ダミー信号）である。
【０１６４】
図１５は、第３実施形態に係るｅＮＢ２００の動作例２を示す図である。なお、動作例１と同様の動作については説明を省略する。
【０１６５】
図１５（ａ）及び（ｂ）に示すように、ｅＮＢ２００ＡとｅＮＢ２００Ｂとの間の同期ずれ量がＬＢＴ期間の時間長以下であり、かつ、ｅＮＢ２００Ｂのサブフレーム先頭（基準時間）よりもｅＮＢ２００Ａのサブフレーム先頭（基準時間）が遅れている。
【０１６６】
この場合、図１５（ｃ）に示すように、ｅＮＢ２００Ａの制御部２３０は、ｅＮＢ２００ＡのＬＢＴ期間の開始タイミングを所定時間だけ遅らせる。当該所定時間は、ＬＢＴ期間の時間長以上である。或いは、ｅＮＢ２００Ｂが自身のＬＢＴ期間の開始タイミングを早めることを想定すると、当該所定時間は、ＬＢＴ期間の時間長の半分以上としてもよい。或いは、短いＬＢＴ重複時間を許容する場合、当該所定時間は、ＬＢＴ期間の時間長未満であってもよい。
【０１６７】
図１５（ｃ）に示す例において、ｅＮＢ２００ＡのＬＢＴ期間は、図１５（ａ）に示す本来のＬＢＴ期間に比べて、１ＬＢＴ期間分だけ後に設定されている。ｅＮＢ２００ＡのＬＢＴ期間は、ｅＮＢ２００Ａのサブフレーム先頭から開始される。
【０１６８】
なお、ｅＮＢ２００ＢとｅＮＢ２００Ｂとが完全に同期している、すなわち、同期ずれ量がゼロであることも想定される。この場合、ｅＮＢ２００Ａの制御部２３０は、ＬＢＴ期間の開始タイミングをランダムに変更（乱数に基づいて変更）する。例えば、ＬＢＴ期間の開始タイミングを早める（図１４参照）か、又はＬＢＴ期間の開始タイミングを遅らせる（図１５参照）かを、ランダムに選択する。また、どの程度の時間だけＬＢＴ期間の開始タイミングを早める又は遅らせるかをランダムに選択してもよい。
【０１６９】
（動作フロー）
図１６は、第３実施形態に係るｅＮＢ２００（ｅＮＢ２００Ａ）の動作フロー図である。本フローは、ｅＮＢ２００ＡとｅＮＢ２００Ｂとの間の同期ずれ量（ΔＴ）が閾値（例えばＬＢＴ期間の時間長）以下であることを前提としている。ここで、「ΔＴ」とは、「ｅＮＢ２００Ｂの同期タイミング」−「ｅＮＢ２００Ａの同期タイミング」である。「ΔＴ＞０」の場合、ｅＮＢ２００ＡがｅＮＢ２００Ｂよりも進んでいる。一方、「ΔＴ＜０」の場合、ｅＮＢ２００ＡがｅＮＢ２００Ｂよりも遅れている。
【０１７０】
図１６に示すように、ｅＮＢ２００Ｂのサブフレーム先頭よりもｅＮＢ２００Ａのサブフレーム先頭が進んでいると判断した場合（ステップＳ１０１：Ｙｅｓ）、ステップＳ１０２において、ｅＮＢ２００Ａは、自身のＬＢＴ期間の開始タイミングを所定時間（例えば１ＬＢＴ時間）だけ早める。
【０１７１】
ｅＮＢ２００Ｂのサブフレーム先頭よりもｅＮＢ２００Ａのサブフレーム先頭が遅れていると判断した場合（ステップＳ１０１：Ｎｏ、ステップＳ１０３：Ｙｅｓ）、ステップＳ１０４において、ｅＮＢ２００Ａは、自身のＬＢＴ期間の開始タイミングを所定時間（例えば１ＬＢＴ時間）だけ遅らせる。
【０１７２】
ｅＮＢ２００Ｂのサブフレーム先頭とｅＮＢ２００Ａのサブフレーム先頭とが揃っていると判断した場合（ステップＳ１０１：Ｎｏ、ステップＳ１０３：Ｎｏ）、ステップＳ１０５において、ｅＮＢ２００Ａは、自身のＬＢＴ期間の開始タイミングをランダムに変更する。
【０１７３】
（第３実施形態のまとめ）
第３実施形態によれば、ｅＮＢ２００Ａは、自身のＬＢＴ期間とｅＮＢ２００ＢにおけるＬＢＴ期間とが少なくとも一部重複すると判断した場合に、自身のＬＢＴ期間及びｅＮＢ２００ＢのＬＢＴ期間が重複しないように、自身のＬＢＴ期間の開始タイミングを変更する。よって、ｅＮＢ２００Ａ及びｅＮＢ２００Ｂが同一のチャネルで略同時に無線信号を送信することにより発生する干渉を回避可能となる。
【０１７４】
［第３実施形態の変更例］
上述した第３実施形態において、アンライセンスドバンドのセルが小セルであり、ｅＮＢ２００ＡとｅＮＢ２００Ｂとの間の伝搬遅延が無視できる程度に小さいことを主として想定していた。
【０１７５】
本変更例においては、ｅＮＢ２００ＡとｅＮＢ２００Ｂとの間の伝搬遅延が不明であることを前提として、伝搬遅延の存在を考慮した動作を行う。図１７は、本変更例に係るｅＮＢ２００（ｅＮＢ２００Ａ）の動作フロー図である。本フローは、ｅＮＢ２００ＡとｅＮＢ２００Ｂとの間の同期ずれ量（ΔＴ）が閾値（例えばＬＢＴ期間の時間長）以下であることを前提としている。図１７に示すように、ｅＮＢ２００Ｂのサブフレーム先頭よりもｅＮＢ２００Ａのサブフレーム先頭が進んでいるか否かの判断（ステップＳ２０１）が、上述した第３実施形態のフロー（図１６参照）とは異なる。具体的には、ｅＮＢ２００Ａは、同期ずれ量（ΔＴ）が所定の閾値（Ｔｔｈ０）よりも大きい場合（ステップＳ２０１：Ｙｅｓ）に限り、ｅＮＢ２００Ｂのサブフレーム先頭よりもｅＮＢ２００Ａのサブフレーム先頭が進んでいると判断する。その他のステップ（ステップＳ２０２乃至Ｓ２０５）については、上述した第３実施形態のフローと同様である。ここで、Ｔｔｈ０は、サイクリックプリフィックス（ＣＰ）長に基づく値（例えばＣＰ長×α）であってもよい。
【０１７６】
上述したように、ｅＮＢ２００Ａは、ｅＮＢ２００Ｂから受信する無線信号に基づいてｅＮＢ２００Ｂの同期タイミング（基準時間）を特定する。ここで、ｅＮＢ２００Ａが受信した無線信号は伝搬遅延の影響を受けている。このため、ｅＮＢ２００Ａの同期タイミングと受信した無線信号の同期タイミングとが等しい場合、実際にはｅＮＢ２００Ａの同期タイミングがｅＮＢ２００Ｂの同期タイミングよりも遅れていることは明らかである。
【０１７７】
他方、進んでいる場合について考えると、伝搬遅延が分かっているとした場合、ｅＮＢ２００Ａの同期タイミングがｅＮＢ２００Ｂの同期タイミング（受信時間−伝搬遅延）よりも進んでいる場合、進んでいると言える。しかしながら、伝搬遅延時間が不明である場合、想定される伝搬遅延時間に相当する閾値（Ｔｔｈ０）を設定する必要がある。よって、ｅＮＢ２００Ａは、同期ずれ量（ΔＴ）が閾値（Ｔｔｈ０）よりも大きい場合に限り、ｅＮＢ２００Ｂのサブフレーム先頭（同期タイミング）よりもｅＮＢ２００Ａのサブフレーム先頭（同期タイミング）が進んでいると判断する。
【０１７８】
なお、本変更例において、ｅＮＢ２００Ａは、同期ずれ量（ΔＴ）がゼロ以上、かつ、閾値（Ｔｔｈ０）以下である場合、自身のＬＢＴ期間の開始タイミングをランダムに変更することになる（ステップＳ２０５）。換言すると、ｅＮＢ２００Ａは、自身の同期タイミングよりもｅＮＢ２００Ｂの同期タイミングが進んでいるか遅れているかの判断が不能である場合、自身のＬＢＴ期間の開始タイミングをランダムに変更する。
【０１７９】
［その他の変更例］
上述した第３実施形態においては、ｅＮＢ２００Ａ及びｅＮＢ２００Ｂが近接して設置されることを想定していた。しかしながら、ｅＮＢ２００Ａ及びｅＮＢ２００Ｂが近接して設置されず、問題となるレベルの干渉が生じないのであれば、上述した第３実施形態に係る動作を行わなくてもよい。ｅＮＢ２００Ａは、ｅＮＢ２００Ｂからの無線信号の受信電力が閾値以上である場合に限り、上述した第３実施形態に係る動作を行ってもよい。
【０１８０】
上述した第３実施形態において、開始タイミングを基準とする一例を説明したが、終了タイミングを基準にしてもよい。
【０１８１】
上述した第３実施形態において、本発明を下りリンクに適用する一例を主として説明した。しかしながら、本発明は下りリンクに限定されず、本発明を上りリンクに適用してもよい。この場合、本発明に係る通信装置としてユーザ端末を使用することができる。
【０１８２】
上述した第３実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０１８３】
上述した第３実施形態において、移動通信システムとしてＬＴＥシステムを例示した。しかしながら、本発明はＬＴＥシステムに限定されない。ＬＴＥシステム以外のシステムに本発明を適用してもよい。
【０１８４】
［第４実施形態］
（第４実施形態の概要）
第４実施形態に係る基地局は、ＰＤＳＣＨ（Ｐｈｙｓｉｃａｌ  Ｄｏｗｎｌｉｎｋ  Ｓｈａｒｅｄ  Ｃｈａｎｎｅｌ）で送信データを送信する処理を実行する制御部を備える。前記制御部は、前記送信データを送信する前に、チャネルを予約するための予約信号として所定データを送信する処理を実行する。前記所定データは、前記送信データの少なくとも一部を含む。
【０１８５】
第４実施形態において、前記所定データは、前記送信データの先頭から所定シンボル数までのデータである。
【０１８６】
第４実施形態において、前記所定データは、前記送信データの最後から所定シンボル数までのデータである。
【０１８７】
第４実施形態において、前記制御部は、前記所定データの配列順を所定の配列順に変更する。前記所定の配列順は、前記送信データの配列順とは逆の順番、又は、ランダムな順番である。
【０１８８】
第４実施形態に係るユーザ端末は、基地局から、予約信号で運ばれた所定データと、該所定データの後に配された、ＰＤＳＣＨで運ばれた送信データとを受信する処理と、所定の復号処理と、を実行する制御部を備える。前記所定データは、前記送信データの少なくとも一部を含む。前記所定の復号処理は、前記所定データを前記送信データの冗長データとして合成する処理を含む。
【０１８９】
第４実施形態に係るユーザ端末は、ＲＲＭ（Ｒａｄｉｏ  Ｒｅｓｏｕｒｃｅ  Ｍａｎａｇｅｍｅｎｔ）測定処理と、複数セル分の測定結果をオペレータＩＤとともに、基地局に報告する報告処理と、を実行する制御部を備える。前記測定結果は、ＲＳＲＰ（Ｒｅｆｅｒｅｎｃｅ  Ｓｉｇｎａｌ  Ｒｅｃｅｉｖｅｄ  Ｐｏｗｅｒ）及び／又はＲＳＲＱ（Ｒｅｆｅｒｅｎｃｅ  Ｓｉｇｎａｌ  Ｒｅｃｅｉｖｅｄ  Ｑｕａｌｉｔｙ）と、ＲＳＳＩ（Ｒｅｃｅｉｖｅｄ  Ｓｉｇｎａｌ  Ｓｔｒｅｎｇｔｈ  Ｉｎｄｉｃａｔｏｒ）と、を含む。
【０１９０】
第４実施形態において、前記制御部は、前記報告処理を周期的に実行する。
【０１９１】
第４実施形態において、前記制御部は、周期的な報告処理のタイミングにおいて、それまでにＲＲＭ測定処理が複数回実行されていた場合には、複数回分の測定結果を前記基地局に報告する。
【０１９２】
第４実施形態において、前記制御部は、前記ＲＳＲＰが所定値以上である場合に、前記報告処理を実行する。
【０１９３】
第４実施形態において、前記制御部は、前記報告処理において、前記ＲＳＲＰが大きいセルに関する前記測定結果から順に報告する処理を実行する。
【０１９４】
第４実施形態において、前記制御部は、前記基地局から、前記報告処理のための周期に関する情報を取得する処理を実行する。
【０１９５】
第４実施形態において、前記制御部は、前記基地局から、前記所定値に関する情報を取得する処理を実行する。
【０１９６】
以下において、第４実施形態について、第１実施形態乃至第３実施形態との相違点を主として説明する。
【０１９７】
（第４実施形態に係る予約信号）
第４実施形態に係る予約信号について説明する。
【０１９８】
ステップ１：ｅＮＢ２００は、ＰＤＳＣＨで送信する送信データ（以下、「ＰＤＳＣＨデータ」と称する）から所定データを生成する。所定データは、ダミーデータと称されてもよいし、冗長データと称されてもよい。ｅＮＢ２００は、例えば、図２５に示すように、ＰＤＳＣＨデータの一部をコピーし、当該コピーを所定データとする。所定データは、ＰＤＳＣＨデータの一部のシンボル区間のデータである。一部のシンボル区間は、ＰＤＳＣＨデータの先頭から所定シンボル数（例えば、１シンボル又は２シンボル）までの区間である。或いは、一部のシンボル区間は、ＰＤＳＣＨデータの最後から所定シンボル数（例えば、１シンボル又は２シンボル）までの区間であってもよい。ｅＮＢ２００は、ＰＤＳＣＨデータの一部のシンボル区間のデータ（以下、「一部のＰＤＳＣＨデータ」と称する）の配列順を所定の配列順に変更し、配列順を変更した一部のＰＤＳＣＨデータを所定データとして生成してもよい。所定の配列順は、一部のＰＤＳＣＨデータの配列順とは逆の順番、又は、ランダムな順番である。所定の配列順は、ｅＮＢ２００からＵＥ１００に通知されてもよいし、システム仕様で事前定義されていてもよい。
【０１９９】
ステップ２：ｅＮＢ２００は、チャネルを予約するための予約信号として所定データを送信する。ＵＥ１００は、予約信号（所定データ）を受信する。ＵＥ１００は、受信した予約信号（所定データ）を記憶する。なお、ｅＮＢ２００は、図２５に示すように、予約信号（所定データ）を送信した後、初期信号を送信してもよい。
【０２００】
ステップ３：ｅＮＢ２００は、ＰＤＳＣＨデータを送信する。ＵＥ１００は、ＰＤＳＣＨデータを受信する。ＵＥ１００は、ＰＤＳＣＨデータの復号処理において、記憶している予約信号（所定データ）をＰＤＳＣＨデータと合成する。このように、ＵＥ１００は、予約信号（所定データ）を利用して復号処理を行うことにより、ＰＤＳＣＨデータの受信特性を改善することができる。
【０２０１】
（第４実施形態に係る測定報告）
第４実施形態に係る測定報告について説明する。なお、第１実施形態に係る動作を第４実施形態に係る測定報告に組み合わせてもよい。
【０２０２】
ＵＥ１００は、測定（ＲＲＭ測定）を行い、測定結果を含む測定報告をｅＮＢ２００に送信する。ＵＥ１００は、通常のＲＲＭ測定結果に加えて、アンライセンスドバンド（ＬＡＡキャリア）での検出セルＩＤ及び信号電力を報告する（図２３及び表１参照）。通常のＲＲＭ測定結果は、ＲＳＲＰ及び／又はＲＳＲＱを含む。第４実施形態において、ＵＥ１００は、アンライセンスドバンドで検出したオペレータＩＤを測定報告に含める。また、ＵＥ１００は、アンライセンスドバンドでのＲＳＳＩを測定報告に含める。ここで、セル単位で得られるＲＳＲＰ及び／又はＲＳＲＱとは異なり、ＲＳＳＩは、所定の周波数単位で得られる測定値である。所定の周波数とは、例えば周波数帯又はコンポーネントキャリア（ＣＣ）である。
【０２０３】
ＵＥ１００は、報告処理を周期的に実行する。ＵＥ１００は、周期的な報告処理のタイミングにおいて、それまでにＲＲＭ測定処理が複数回実行されていた場合には、複数回分の測定結果を含む１つの測定報告をｅＮＢ２００に送信してもよい。ｅＮＢ２００は報告周期をＵＥ１００に設定し、ＵＥ１００は、設定された報告周期に従って報告処理を実行してもよい。
【０２０４】
或いは、ＵＥ１００は、所定のイベントの発生をトリガーとして報告処理を実行してもよい。例えば、ＵＥ１００は、ＲＳＲＰが所定値（閾値）以上である場合に、報告処理を実行する。ｅＮＢ２００はトリガーイベント及び閾値をＵＥ１００に設定し、ＵＥ１００は、設定されたトリガーイベント及び閾値に従って報告処理を実行してもよい。
【０２０５】
［第５実施形態］
（第５実施形態の概要）
第５実施形態に係る基地局は、アンライセンスドバンドにおいて、初期信号の送信前に空きチャネルの有無を確認する制御部を備える。前記制御部は、前記確認の完了後であって前記初期信号の送信開始が可能なシンボルが開始するまでの間、予約信号を送信する。前記予約信号は、サイクリックプレフィックスとして使用可能である。
【０２０６】
第５実施形態において、前記予約信号が一定長以上の場合、前記予約信号は、前記サイクリックプレフィックスとして使用されると共に、他の信号を送信するために使用される。
【０２０７】
第５実施形態において、前記他の信号は、ランダム信号である。
【０２０８】
第５実施形態において、前記一定長とは、１ＯＦＤＭシンボル長からサイクリックプレフィックス長を引いた長さである有効ＯＦＤＭシンボル長から前記サイクリックプレフィックス長を引いた長さ以下の長さである。
【０２０９】
以下において、第５実施形態について、第１実施形態乃至第４実施形態との相違点を主として説明する。
【０２１０】
（第５実施形態に係る動作）
図１８に示すように、ｅＮＢ２００は、ＣＣＡ（ＬＢＴ）に成功した後、下りリンク送信を開始する。図１８において、ｅＮＢ２００が、サブフレーム＃ｎの先頭シンボル区間＃１の途中でＣＣＡに成功した一例を示している。この場合、ｅＮＢ２００は、予約信号（Ｒｅｓｅｒｖａｔｉｏｎ  Ｓｉｇｎａｌ）、初期信号（Ｉｎｉｔｉａｌ  Ｓｉｇｎａｌ）、制御信号（ＰＤＣＣＨ）、及びデータ（ＰＤＳＣＨ）の順に送信を行う。
【０２１１】
予約信号（Ｒｅｓｅｒｖａｔｉｏｎ  Ｓｉｇｎａｌ）は、ＣＣＡ完了がシンボル区間（＃１）の途中である場合に、対象チャネルに他装置が割り込まないように、初期信号の送信開始が可能なシンボル区間の開始時点（次のシンボル区間（＃２）の開始時点）まで対象チャネルを占有するための信号である。
【０２１２】
ｅＮＢ２００は、予約信号を、初期信号のサイクリックプリフィックス（ＣＰ）（又はＣＰを延長したもの）として使用する。言い換えると、ｅＮＢ２００は、予約信号の期間（ＣＣＡ完了から次のシンボル区間（＃２）の開始時点までの間）に、ＣＰを延長したものを挿入する。なお、ＣＰを延長したものとは、例えば、次のＯＦＤＭシンボル（初期信号が送信可能なＯＦＤＭシンボル）内のＣＰを時間軸上で手前に延長したものと同じもの（複製したもの）である。
【０２１３】
一方で、ｅＮＢ２００は、一定長（一定時間長）以上、予約信号をＣＰとして使用すると、ＯＦＤＭ信号（有効ＯＦＤＭシンボル）が２周期分入ることになり、タイミング抽出の誤りが発生する怖れがある。一定長（一定時間長）とは、有効ＯＦＤＭシンボル長（１ＯＦＤＭシンボル長からＣＰ長を引いた長さ）からＣＰ長を引いた長さ以下の長さである。
【０２１４】
そこで、ｅＮＢ２００は、予約信号（ＣＣＡ完了から次シンボル区間の開始地点までの間）が一定長以上となる場合は、予約信号をＣＰとして使用するだけでなくランダム信号の送信に使用する。具体的には、ｅＮＢ２００は、予約信号において、ＣＰとして使用する領域以外の時間領域をランダム信号の送信に使用する。また、予約信号内におけるランダム信号とＣＰとの位置関係は、例えば、時間軸上において、ランダム信号の送信が前に位置し、ＣＰがその後に位置する（ＣＰが次シンボル開始時点の直前に位置し、その前にランダム信号が位置する）。
【０２１５】
ランダム信号は、加法性ホワイトガウスノイズ (AWGN：additive white Gaussian noise)のような、次のＯＦＤＭシンボルに対して無相関な信号であればよい。また、ランダム信号は、１ＯＦＤＭシンボル分生成したものの一部を使用してもよい。具体的には、ｅＮＢ２００は、１ＯＦＤＭシンボル内のＲＥ（Ｒｅｓｏｕｒｃｅ  Ｅｌｅｍｅｎｔ）全てに対して、振幅が（−１、１）及び位相が（１８０、−１８０）の一様ランダム信号をマッピングする。そして、ｅＮＢ２００は、そのマッピングした信号を時間領域に変更し、そのマッピングした信号のうち必要な時間領域だけ（予約信号のうちのＣＰとして利用する時間領域以外の時間領域）を利用する。ここでは、ランダム信号を例として挙げたが、ランダム信号以外の信号を使用してもよい。
【０２１６】
なお、ここでは、初期信号の送信が次のシンボル区間（＃２）において開始される場合を例に挙げているが、これに限られず、例えば、シンボル区間（♯１）とは離れたシンボル区間（♯ｎ）において初期信号の送信が開始されてもよい（ｎ≧３）。その場合には、予約信号の長さが１ＯＦＤＭシンボル長以上となり、ｅＮＢ２００は、予約信号をＣＰとして使用することに代えて、予約信号が位置するサブフレームの冗長信号の送信として使用してもよいし、又は参照信号の送信として使用してもよい。
【０２１７】
以下において、第１実施形態乃至第５実施形態の補足事項について説明する。
【０２１８】
［付記１］
（1. はじめに）
同じチャネルを共有するアクセスポイントが多いほど、システムのスループット性能が低下することがよく知られている。Wi-Fi及びLAAサービス間の公正な共存のためには、Listen-before-talk（クリアチャネルアセスメント）や制限された送信期間によるキャリア上での不連続送信などの無線LANと同様の仕組みをLAAオペレーションのために導入すべきであることが提案される。よって、LAAセルがアクセスポイントと同じバンドを共有する限りは、スループット性能の低下は避けられないと想定される。
【０２１９】
一方、異なるオペレータのLAAサービス間の協調メカニズムを研究する価値がある。協調メカニズムは、複数のオペレータのLAAサービス間のチャネル選択及びチャネル共有からなる。この協調は、より良い干渉管理につながる可能性がある。本付記では、複数のLAAサービス間の緊密な協調メカニズム、特に、LTEビーコン、LTEヘッダ、及び新しいUE測定報告を提示する。
【０２２０】
（2. LTEビーコンの可能な機能）
LAAセルは、動作のために最も負荷の低いチャネルを（再）選択することが好ましい。この目的を達成するためには、LAAセルがアンライセンスドバンドの無線環境を認識しているべきである。アンライセンスドスペクトルの使用情報は、この情報をブロードキャストすることにより隣接するノードと共有されることを提案する。このブロードキャスト情報は、「LTEビーコン」により配信される。隣接するLAAサービスは、隣接LTEビーコンを検出し、その情報を使用してチャネルを選択し、自身のLAAパラメータを適切に設定することができる。上記の情報を受信した後、隣接eNBも同様に、自身のビーコンをブロードキャストすることができる。LTEビーコンの候補の内容の1つは、アンライセンスドスペクトルのトラフィック負荷情報、LBT失敗の数、又は使用チャネル数である。
【０２２１】
また、LTEビーコンは、1つのアンライセンスドスペクトルのCCを複数のLAAサービスにより共有するためにも使用することができる。異なるオペレータのLAAセルが時分割で同じチャネルを共有すると仮定することができる。アンライセンスドスペクトルの同期信号及び/又は参照信号の構成は、提案するLTEビーコンに設けられ、これにより密接な協調がもたらされる。LTEビーコンの送信タイミングの検討が必要とされる。我々の見解では、同期信号が送信されるのと同じサブフレームで送信されるべきである。これは、PSS/SSSと共に同じサブフレームに配置されているブロードキャストチャネル（PBCH）の概念に非常に似ている。LTEビーコンの例が図１９に示されている。全ての同期信号の送信と共にLTEビーコンが送信されるべきかについては更なる検討が必要である。
【０２２２】
提案1：アンライセンスドスペクトル使用情報は、LTEビーコンにより他のオペレータにブロードキャストされるべきである。
【０２２３】
（3. LTEヘッダの可能な機能）
この章では、LAAセルのリソース割り当て情報の共有がアンライセンスドスペクトルの更なる効率的な利用をもたらすことを検討する。例えば、LAAセルが他のLAAセルのデータ送信期間を認識している場合、そのeNBは、その期間中にLBTを中断することができる。よって、アンライセンスドスペクトルについてのある程度のリソース割り当て情報も同様にブロードキャストすべきかRAN1で検討すべきであることを提案する。この情報は、「LTEヘッダ」で搬送され、データバーストの先頭にあるヘッダにおいて送信されるべきである。これは、LTEヘッダが現在のRel-8のPDCCHと同様の機能を有すると仮定するものである。このヘッダは、送信するeNBによるリソース使用情報を取得するために、隣接するLAAセルによって読み取ることができる。どのようにLAAヘッダが配置されるかの例を図２０に示す。また、図２０は、提案するLAA syncも示している。LAAヘッダの位置については更なる検討が必要である。
【０２２４】
提案2：アンライセンスドスペクトルのある程度のリソース割り当て情報がヘッダ信号中でブロードキャストされるべきかをRAN1は検討すべきである。
【０２２５】
（4. UE測定の強化）
チャネル選択手順/スキームを設計する際に、隠れ端末問題を考慮しなければならないかをRAN1は検討すべきである。隠れ端末問題に対処するために、新たなUE測定報告メカニズムを導入することを提案する。測定報告において、UEは、現在のRRM測定結果に加えて、アンライセンスドバンドでの検出セルID及び信号電力を報告する。我々の見解では、UEは、（他のオペレータのLAAを含む）非サービングセルのDRSを検出し、それ自体でDRS RSRPを計算することができる。UEからこの報告を受けたeNBは、隠れ端末問題を軽減するために必要な適切な行動を取ることができる。
【０２２６】
提案3：新しいUE測定報告メカニズムは、UEが検出した非サービングLAAセルの情報を報告することを可能に導入されるべきである。
【０２２７】
加えて、同一のPCIが複数のオペレータによって使用される場合に潜在的な問題がある。同じPCIが、隣接するセルに割り当てられるべきではない。1つのオペレータのネットワーク内では、セル計画やSON機能によってそれを達成することができる。同じPCIが第1のオペレータの近傍に位置する他のオペレータによって使用されている場合、問題が残る。我々の見解では、UE支援又はeNBベースのアンライセンスドスペクトルでのPCI衝突回避メカニズムが導入されるべきである。
【０２２８】
提案4：アンライセンスドスペクトル内のPCI衝突回避メカニズムが導入されるべきである。
【０２２９】
［付記２］
（1. はじめに）
RAN1はLAAのための単一の包括的な解決策を決定することが要求される。よって、それぞれの国や地域の規制を満たす1つの統合LAA解決策を検討すべきである。アンライセンスドスペクトルの規制は、それぞれの国や地域で異なるので、最も厳しい国や地域の規則を使用してシステムを設計することが望ましい。本付記では、シミュレーション結果に基づいてLAAのフレーム構造を議論する。
【０２３０】
（2. LAAでのLBTの必要性）
RAN1は、いくつかの地域/バンドのための規制要件を満たすために、Listen-before-talk（クリアチャネルアセスメント）及び制限された最大送信期間を持つキャリアでの不連続送信を導入することに合意した。結果として、Listen-before-talk（LBT）を使用して、「バースト性」の送信は、アンライセンスドスペクトル内のノードによって送信され、特定の国/地域で展開される。単一の包括的な解決策が期待されているので、我々は、最も厳しい条件、すなわち、日本の規制を満たす4ミリ秒の最大送信バーストの持続時間に制限することを提案する。代替として、設定可能なバースト持続時間も考えられる。しかし、ヨーロッパの規制によれば、連続するバースト間の最小ギャップ長は、バースト長に依存する。設定可能なバースト長及びバースト長に関連するギャップの両方を満たすためにフレーム設計が複雑になり得る。我々は単一のバースト長を持つシンプルな解決策が好ましいと考える。また、固定バースト長ベースのフレーム構造は、標準化作業の負担を減少させるのに役立つ。
【０２３１】
このフレーム構造は、ヨーロッパ及び日本のためにのみ必要とされるが、我々はLBT及び不連続送信がLAAオペレーションのための必須機能であるべきであることを提案する。これらの機能は、Wi-Fiなどの他の技術と公正な共存を実現するのにも有益である。我々は上記の仮定に基づいて予備評価を行ない、LBTの有効性を示した。LBTがLTEに適用されない場合、WLANのスループットが大きく低下することが示されている。
【０２３２】
提案1：LBT及び不連続送信は、LAAオペレーションのための必須機能とすべきである。
【０２３３】
提案2：送信バーストの最大送信時間は4ミリ秒とすべきである。
【０２３４】
（3. フレーム構造の分析）
この章では、提案するフレーム構造の解析について説明する。我々の見解は、規制要件を満たすためにLAAのPHY設計のための最小限の変更で、既存のLTEのRel-12のPHY設計を可能な限り再利用することである。RAN1は、DL LAAの設計がCAによって集約されるサービングセルにわたるRel-12 CAのタイミング関係に従ってサブフレームの境界整列を想定するべきである。LBTの位置は、上記の制約を考慮して設計すべきである。最も簡単な方法は、1のLTEバースト（図２１）として4つの連続サブフレームを持つことであると考える。この設計では、各LTEバーストに1つのアイドルサブフレームとし、次のLTEバースト送信直前に発生したアイドルサブフレームの最後のシンボルの間にLBTが発生すると想定する。
【０２３５】
上記のアプローチは、FBEと呼ばれている。我々は、FBEが、大幅な変更なくWi-Fiと共存することができると考える。LBEは、送信期間を調整する柔軟性を有し、FBEのアプローチと比較して優れたLAAの性能を提供し得ると考える。しかし、LBEは予約チャネルを必要とし、長い予約チャネルはリソースの浪費を引き起こす可能性がある。また、Wi-Fi共存のために指数ランダムバックオフが必要とされるであろう。さらに、FBEの実装及び標準化への影響は、LBEよりもはるかに小さい。
【０２３６】
UL LAAにおいて、UEは、UL送信の前にLBTを実行すべきである場合、FBEはLBEよりも優れている。eNBがLAA内でも既存のULスケジューリングと同様にUL送信を制御することが期待される。その場合、UEは、付与されたリソースの前に、すなわち、割り当てられていないリソースで予約信号を送信することは許容されない。ULがFBEである場合にDLがLBEであることが許容されるかは疑問である。少なくとも今、UL LAAがサポートされる場合、FBEは、DL及びULの両方のベースラインであるべきと考える。よって、DL LAAのためにLBE及びFBEの両方を検討すべきである。
【０２３７】
提案3：LBE及びFBEの両方がDL LAAのために検討されるべきである。
【０２３８】
我々のシミュレーションでは、LTEと同じフレーム構造を採用した。シミュレーションに示すように、この設計は、Wi-Fiや他のLAAサービスと公正な共存を実現することができる。よって、我々はこの設計はFBEのためのLAAフレーム構造のベースラインであるべきであると提案している。
【０２３９】
提案4：Wi-Fiと他のLAAサービスとの公正な共存を実現するために、RAN1は、以下のLTEバースト設計がFBEのためのLAAフレーム構造のベースラインであることに同意すべきである。
【０２４０】
- 1のLTEバーストとして、4つの連続サブフレームを持っている。
【０２４１】
- 各LTEバーストのための1つのアイドルのサブフレーム。
【０２４２】
- LBTは、次のLTEバースト送信直前に発生したアイドルサブフレームの最後のシンボルの間に発生する。
【０２４３】
（4. 潜在的な問題）
オリジナルのFBEにおいて、LBTのタイミングは固定されている。図２２に示すように、オペレータAとオペレータB、Cとのタイミング差が小さい場合で、全てのオペレータのLBTが互いに非常に近くで発生した場合、衝突の可能性がある。よって、これらの衝突を回避する解決策が必要である。いくつかの解決策があり、それらの1つは、他のオペレータのタイミングを検出し、小さい予約信号（small reservation signal）を使用してLBTのタイミングを調整することである。
【０２４４】
提案5：RAN1は、LBTが互いに非常に近くで発生した場合、隣接セル送信間の衝突を回避することを検討すべきである。
【０２４５】
［付記３］
（1. はじめに）
チャネル選択は、LAAオペレーションの中で最も重要な特徴の1つである。また隠れ端末問題は、チャネル選択手順/スキームを設計する際に検討する価値がある。本付記では、我々はより良いパフォーマンスを達成するために、チャネル選択のためのUE測定の強化を提案する。
【０２４６】
（2. チャネル選択のためのUE測定報告の強化）
隠れ端末問題に対処するために、UE測定報告メカニズムを提案する。測定報告において、UEは、現在のRRM測定結果に加えて、アンライセンスドバンドでの検出セルID及び信号電力を報告する。我々の見解では、UEは、（他のオペレータのLAAを含む）非サービングセルのDRSを検出することができ、それ自体でDRS RSRPを計算する。UEからこの報告を受けたeNBは、隠れ端末問題を軽減するために必要な適切な処置を取ることができる。図２３及び表１は、提案するUEの測定報告の一例である。表1において、UE1は、サービングセルに対して、オペレータBがCC1で動作しており、オペレータCがCC2で動作していることを示す報告をすることができる。その結果、サービングeNBは、UEをサーブするためにCC3又はCC4を選択し得る。
【０２４７】
【表１】
2018137756.tif 000003
【０２４８】
提案1：UEが検出した非サービングLAAセルの情報をUEが報告することを可能とする新しいUE測定報告メカニズムが導入されるべきである。
【０２４９】
加えて、同一のPCIが複数のオペレータによって使用される場合に潜在的な問題がある。同じPCIが隣接セルに割り当てられるべきではない。1つのオペレータのネットワーク内では、セル計画やSON機能によって達成することができる。同じPCIが第1のオペレータの近傍に位置する他のオペレータによって使用されている場合、問題が残る。我々の見解では、UE支援又はeNBベースのアンライセンスドスペクトル内のPCI衝突回避メカニズムを導入すべきである。
【０２５０】
提案2：アンライセンスドスペクトルにおけるPCI衝突回避メカニズムが導入されるべきである。
【０２５１】
なお、付記３において、ＣＣごとの干渉電力を報告してもよい（ＷｉＦｉを検出に含めてもよい）。
【０２５２】
［付記４］
（1.はじめに）
RAN1は、LAAのための単一の包括的な解決策を決定することが要求されている。よって、それぞれの国や地域の規制を満たす1つの統合LAA解決策を検討すべきである。本付記では、PDSCHと予約信号（reservation signal）とを含むLAAフレーム構造を検討する。
【０２５３】
（2. LAAでのLBTの必要性）
LAAでのLBTの必要性を説明する。RAN1は、地域/バンドのいくつかの規制要件を満たすために、LBT及び制限された最大送信期間でキャリアに不連続送信を導入することに合意した。単一の包括的な解決策が必要とされているので、LBT及び不連続送信がLAAオペレーションのために必須であることを提案する。これらの項目は、Wi-Fiのような他の技術と公正な共存を実現するためにも有益であることに留意すべきである。
【０２５４】
また、最も厳しい条件、すなわち、日本の規制を満たす4ミリ秒の最大送信バーストの持続時間に制限することを提案する。
【０２５５】
提案1：LBT及び不連続送信はLAAオペレーションのために必須であるべきである。
【０２５６】
提案2：送信バーストの最大送信時間は4ミリ秒であるべきである。
【０２５７】
（3.フレーム構造の分析）
提案3：LBE及びFBEの両方がDL LAAのために検討されるべきである。
【０２５８】
提案4：Wi-Fiと他のLAAサービスと公正な共存を実現するために、RAN1は、以下のLTEバースト設計がFBEのためにLAAフレーム構造のベースラインであることに同意すべきである。
【０２５９】
- 1のLTEバーストとして、4つの連続サブフレームを持っている。
【０２６０】
- 各LTEバーストのための1つのアイドルのサブフレーム。
【０２６１】
- LBTは、次のLTEバースト送信直前に発生したアイドルサブフレームの最後のシンボルの間に発生する。
【０２６２】
（4. FBEに関連する潜在的な問題）
提案5：RAN1は、LBTが互いに非常に近くで発生した場合、隣接セル送信間の衝突を回避することを検討すべきである。
【０２６３】
（5. フレキシブルなPDSCH送信）
この章では、フレキシブルなPDSCH送信に焦点を当てる。LAAは、LBTにより全てのOFDMシンボルがサブフレームの送信に利用可能ではない時のPDSCHの送信をサポートする。図２４は、全てのOFDMシンボルがPDSCH送信のために利用可能ではない場合の例である。1つの可能性は、フレキシブルな開始OFDMシンボルであり、もう1つは、フレキシブルな終了OFDMシンボルである。両方の場合において、1つの問題は、UEが送信シンボル、例えば開始シンボル及び終了シンボルをどのように知るかである。UEが開始及び終了シンボルのタイミングを知る必要がないことは有益であると考える。よって、RAN1はPDSCHを用いたフレキシブルなPDSCHシンボルがパンクチャリングによって実現されることを検討すべきである。
【０２６４】
提案6：RAN1は、パンクチャリングを用いたフレキシブルなPDSCHシンボルを検討すべきである。
【０２６５】
（6. 予約信号の設計）
LBTが使用される場合、予約信号が必要であり、PDSCHの開始シンボルが固定されている。そのような場合、予約信号は時々送信されず、予約信号は日和見性であるので、予約信号は、制御シグナリングからなることができない。上記を考慮すると、予約信号の持続時間はできるだけ短くすべきであると考える。加えて、図２５に示すように、PDSCHの一部のコピーを予約信号として使用することで、より効果的にこの期間を利用可能にすることを提案する。
【０２６６】
提案7：予約信号を設計する際、予約信号の持続時間は、できるだけ短くすべきである。
【０２６７】
提案8：PDSCHのコピーが予約信号として使用されるべきである。
【０２６８】
［付記５］
（1. 導入）
本付記では、周波数領域における多重化及びMU-MIMOによる多重化をどのようにサポートするかについて検討する。
【０２６９】
（2. 周波数領域での多重化）
公称チャネル帯域幅は、常に少なくとも5MHzでなければならない。占有チャネル帯域幅は宣言公称チャネル帯域幅の80％〜100％の間でなければならない。スマートアンテナシステム（複数の送信チェーンを有する装置）の場合には、送信チェーンの各々は、この要件を満たさなければならない。
【０２７０】
この規制を満たすために、UEは少なくとも5MHzの幅の信号を送信すべきであると考えられる。LBTを考慮すると、複数のUEと5MHzを共有することはできない。また、送信は5MHzでの倍数で許可されるべきであり、開始周波数位置も5MHzの倍数とすべきである。20MHzがLAAのために利用可能である場合、図２６に示すように、4つのUEのみを周波数領域で多重化することができる。
【０２７１】
提案1：UL LAAにおいて、各UEは、少なくとも5MHzを使用すべきである。送信は5MHzの倍数で許可されるべきであり、開始周波数位置も5MHzでの倍数でなければならない。
【０２７２】
（3. MU-MIMOによる多重）
この章では、MU-MIMOに適したUEペアリングを検討する。図２７に示すように、UE1及びUE2のペアリングは、MU-MIMOには適していない。UE X又はeNB Yが送信を開始する場合、UE1及びUE2の両方がLBT失敗によりデータを送信できないからである。一方、UE1及びUE3がペアになった場合、UE3が送信できるようになるので、MU-MIMOを使用した送信が成功するであろう。
【０２７３】
よって、eNBがMU-MIMOに適したペアを選択することができるように、いくつかのメカニズムが必要であると考える。図２８に示すように、1つのアプローチは、UEが、自身のサービングセルに対する報告により、LAAキャリア上でUEにより検出された全ての隣接UE及びeNBを示すことである。上記の例では、全てのUEがeNB Aに報告を送信する場合、eNB Aは、MU-MIMO送信のためにUE1及びUE 2をペアにしないかもしれない。
【０２７４】
提案2：LAAは、LAAキャリア上で検出されたUE及びeNBを示すためにUEがサービングセルに報告を送信することをサポートすべきである。
【０２７５】
［付記６］
（1.はじめに）
3GPPは、ライセンスドスペクトルとの組み合わせでアンライセンスドスペクトルの使用を検討し、結果を報告している。これらの結果を考慮して、RAN#68で、DL送信のみのLAA SCellオペレーションを仕様化する新たなWI「Licensed-Assisted Access using LTE」を承認した。本付記では、DL送信設計の見解を示す。
【０２７６】
（2. DL送信設計）
報告された結果によると、カテゴリ4 LBTメカニズムは少なくともPDSCHを含むLAA DL送信バーストのためのベースラインである。カテゴリ4 LBTメカニズムがPDSCH送信に適用される場合、DL送信タイミング、チャネルを予約する予約信号、UEにDL送信の開始タイミングを示す初期信号（initial signal）を検討する必要がある。我々のDL送信設計の概要を図２９に示す。この章では、DL送信タイミング及び信号設計の詳細を検討する。本付記では、初期信号、PDCCH、及びPDSCHからなる部分をDLデータ送信と称する。
【０２７７】
DLデータ送信タイミング
カテゴリ4 LBTメカニズムが適用される場合、CCAは、サブフレーム境界にかかわらず終了する。CCA終了後の予約信号の送信後、DLデータ送信開始タイミングについて、DLデータ送信が常に次のサブフレームの境界を待って開始するかどうかの2つの選択肢がある。
【０２７８】
周波数利用効率を考慮すると、DLデータ送信は、特に最大DL送信バースト期間が短い場合（例えば日本の規制で最大4msバースト）、次のサブフレームの境界まで待たずに開始することができるべきである。例えば、予約信号が部分的サブフレームの全ての間で送信される場合、予約信号は、4msのバースト送信の場合のDLバースト送信の最大25％を占める。しかし、開始タイミング候補として全てのOFDMシンボルをサポートすることは、eNBとUEの両方で計算が複雑になる。例えば、eNBはCCAプロセスを試す前にCCA終点を知ることができないで、eNBはPDSCHのために異なるTBSで複数のパケットを準備しなければならない。また、eNBがDLデータ送信をいつ開始するかUEが分からないので、UEは、DLデータ送信の全ての可能な開始タイミングを検索する必要がある。これは、従来の方法よりもUEがより複雑で計算集中になる。一つの解決策は、OFDMシンボルの開始タイミングを制限することである。加えて、限られた開始タイミングは、サブフレーム内の特定のOFDMシンボルｘ（図３０）よりも前に配置する必要があると想定する。開始タイミングがサブフレーム内の特定のOFDMシンボルｘよりも後に配置される場合、PDSCHの符号化レートが高すぎて復号できず、UEが再送なしで正しくPDSCHを復号することができなくなる。ｘの値については更なる検討が必要である。
【０２７９】
提案1：DLデータ送信の開始タイミングを制限することは、eNB及びUEの計算負荷及び複雑性の観点から好ましい。さらに、限られた開始タイミングの候補は、サブフレーム内の特定のOFDMシンボルｘよりも前に配置されるべきである。
【０２８０】
予約信号
CCA終了とDLデータ送信の開始タイミングとの間の時間ギャップがある。eNBがこの時間ギャップの間に何も送信しない場合、他の装置（例えば、アクセスポイント又は他のオペレータのeNB）は、任意の信号を送信することができる。従って、eNBは予約信号を送信すべきである。
【０２８１】
提案2：予約信号は、他の装置による中断を防ぐために使用されるべきである。
【０２８２】
予約信号は、予約の長さがOFDMシンボルよりも短いか否かに応じて２つのパターンに分けられる。予約信号の時間長が１つのOFDMシンボルよりも短い場合、そのギャップは任意のデータを送信するのに十分な長さではない。しかし、eNBはこのギャップ隙間で次のOFDMシンボルのCP（サイクリックプレフィックス）拡張を送信することができる（図３１（a）参照）。CP拡張の送信は、初期信号の検出性能を向上させる。しかし、CP拡張部分と次のOFDMシンボルのCPとを含む予約信号の合計時間が1有効OFDMシンボルの長さよりも長い場合、UEがデュアルピーク検出によりシンボルタイミングを判断することができないかもしれない（例えば、予約信号= 60us、CP = 16.7us）（図３１（b）参照）。
【０２８３】
提案3：予約信号が1OFDMシンボルよりも短い場合、予約信号の少なくとも一部は、CPの拡張として使用されるべきである。しかし、CP拡張と次のOFDMシンボルのCPとの合計持続時間は、有効OFDMシンボルの長さよりも短くあるべきである。
【０２８４】
一方、予約信号の時間長が1OFDMシンボルよりも長い場合、eNBは、DLデータ送信をサポートするために使用することができる冗長データを送信し得る。しかし、予約信号は、UEが受信しなければならない重要なデータを含めるべきではない。1つのオプションは、DLデータ送信の開始タイミングの直前にCP拡張として使用することである。
【０２８５】
提案4：予約信号が1OFDMシンボルよりも長い場合、UEの複雑さを回避するために、予約信号はUEが受信しなければならない重要なデータを含めるべきではない。
【０２８６】
初期信号
UEは、DLデータ送信の開始タイミングを認識する必要がある。UEは、全ての候補タイミングでDLデータ送信の開始タイミングを検出するためのブラインド復号を行うことになる。しかし、ブラインド復号は、UEの計算集中が必要である。DLデータ送信の開始タイミングを通知する初期信号を定義することが好ましい。1つの候補信号は、検出することが容易である1又は2つのOFDMシンボル内のPSS/SSSである。しかし、レガシーPSS/SSSは、システム帯域幅（図３２）の中央に配置される。これは、部分的帯域幅の重複ケースにおいて動作する装置に対してチャネルを予約することができない。1つの解決策は、図３３で示した帯域幅内に複数のPSS/SSSを配置することである。
【０２８７】
提案5：初期信号は、DLデータ送信の開始タイミングを示すために使用され、1つ又は2つのOFDMシンボル内の複数のPSS/SSSに配置される。
【０２８８】
一方、UEは、同一の物理設計が使用される場合、その信号を初期信号又はDRSであるか理解することができない。1つのシンプルな解決策は、DRSと初期信号とでSSSの異なるシーケンスを使用することである。
【０２８９】
PDCCH/PDSCH
基本的に、CCAがいつ終了するかをeNBが事前に認識していないので、PDCCH及びPDSCHフォーマットは、PDSCHのために異なるTBSで複数のDCI及びパケットを準備することを除いて変更されないことを想定する。さらに、部分的なサブフレームを採用するために新たなTBSを定義する必要がある。1つのアプローチは、PDSCHに利用可能なOFDMシンボルの数に比例してTBSを変更することである。例えば、利用可能なOFDMシンボルが通常のCPで5である場合、送信TBSは、floor (5/14 * TBS / 8) * 8である。
【０２９０】
eNBがPDSCHのために異なるTBSで複数のパケットを準備することをサポートしない場合、この問題を解決する別の方法は、eNBが、利用可能なOFDMシンボルのワーストケースの数のための最小パケットを送信することである。高い部分的サブフレーム送信の非効率性と引き換えに低い複雑性を有する。
【０２９１】
提案6：RAN1は異なる送信期間を取り扱うために異なるTBSのサイズを検討すべきである。
【０２９２】
［相互参照］
米国仮出願第６２／１１０１１６号（２０１５年１月３０日出願）、米国仮出願第６２／１３４１９７号（２０１５年３月１７日出願）、米国仮出願第６２／１４５８５１号（２０１５年４月１０日出願）、米国仮出願第６２／２０３５７５号（２０１５年８月１１日出願）の全内容が参照により本願明細書に組み込まれている。
【産業上の利用可能性】
【０２９３】
本発明は、通信分野において有用である。
【図１】
2018137756.tif 000004
【図２】
2018137756.tif 000005
【図３】
2018137756.tif 000006
【図４】
2018137756.tif 000007
【図５】
2018137756.tif 000008
【図６】
2018137756.tif 000009
【図７】
2018137756.tif 000010
【図８】
2018137756.tif 000011
【図９】
2018137756.tif 000012
【図１０】
2018137756.tif 000013
【図１１】
2018137756.tif 000014
【図１２】
2018137756.tif 000015
【図１３】
2018137756.tif 000016
【図１４】
2018137756.tif 000017
【図１５】
2018137756.tif 000018
【図１６】
2018137756.tif 000019
【図１７】
2018137756.tif 000020
【図１８】
2018137756.tif 000021
【図１９】
2018137756.tif 000022
【図２０】
2018137756.tif 000023
【図２１】
2018137756.tif 000024
【図２２】
2018137756.tif 000025
【図２３】
2018137756.tif 000026
【図２４】
2018137756.tif 000027
【図２５】
2018137756.tif 000028
【図２６】
2018137756.tif 000029
【図２７】
2018137756.tif 000030
【図２８】
2018137756.tif 000031
【図２９】
2018137756.tif 000032
【図３０】
2018137756.tif 000033
【図３１】
2018137756.tif 000034
【図３２】
2018137756.tif 000035
【図３３】
2018137756.tif 000036